(57)【要約】【課題】低電力シャッタラグ除去方法、カメラモジュール及びそれを具備するモバイル機器を提供する。【解決手段】シャッタラグ除去方法は、カメライメージセンサのプレビュモードでセンサ出力イメージを低解像度に設定し、キャプチャ準備信号に基づいてセンサ出力イメージを高解像度に変更してカメライメージセンサをキャプチャ準備モードに進入させ、及びキャプチャ準備モードでキャプチャ信号に応答してセンサ出力イメージをキャプチャする。この時、低解像度は基準解像度と同一であるか、または、基準解像度より低い解像度であり、高解像度は基準解像度より高い解像度である。【選択図】  図１
2013115816.tif 000002
【特許請求の範囲】
【請求項１】
カメライメージセンサのプレビュモードでセンサ出力イメージを低解像度に維持する段階と、
キャプチャ準備信号に基づいて前記センサ出力イメージを高解像度に変更して前記カメライメージセンサをキャプチャ準備モードに進入させる段階と、
前記キャプチャ準備モードでキャプチャ信号に応答して前記センサ出力イメージをキャプチャする段階と、を含み、
前記低解像度は基準解像度と同一であるか、または、前記基準解像度より低い解像度であり、前記高解像度は前記基準解像度より高い解像度であることを特徴とする低電力シャッタラグ除去方法。
【請求項２】
前記センサ出力イメージがキャプチャされると、前記センサ出力イメージを低解像度に変更して前記カメライメージセンサを前記プレビュモードに再進入させる段階をさらに含むことを特徴とする請求項１に記載の低電力シャッタラグ除去方法。
【請求項３】
前記キャプチャ準備モードが既設定された時間だけ経過すると、前記センサ出力イメージを低解像度に変更して前記カメライメージセンサを前記プレビュモードに再進入させる段階をさらに含むことを特徴とする請求項２に記載の低電力シャッタラグ除去方法。
【請求項４】
前記キャプチャ準備モードでモード転換信号が入力されると、前記センサ出力イメージを低解像度に変更して前記カメライメージセンサを前記プレビュモードに再進入させる段階をさらに含むことを特徴とする請求項２に記載の低電力シャッタラグ除去方法。
【請求項５】
前記センサ出力イメージは、前記プレビュモードで前記キャプチャ準備信号が入力されると同時に低解像度から高解像度に変更されることを特徴とする請求項１に記載の低電力シャッタラグ除去方法。
【請求項６】
前記センサ出力イメージは、前記プレビュモードで前記キャプチャ準備信号が入力されると、既設定された時間が経過した後、低解像度から高解像度に変更されることを特徴とする請求項１に記載の低電力シャッタラグ除去方法。
【請求項７】
前記キャプチャ準備信号は、フォーカス動作を行うためのオートフォーカススタート信号であることを特徴とする請求項１に記載の低電力シャッタラグ除去方法。
【請求項８】
前記キャプチャ準備信号は、フォーカス動作を行うための外部入力信号であることを特徴とする請求項１に記載の低電力シャッタラグ除去方法。
【請求項９】
前記外部入力信号は、タッチ入力信号、ボタン入力信号、音声入力信号のうちから選択される少なくとも一つ以上の信号であることを特徴とする請求項８に記載の低電力シャッタラグ除去方法。
【請求項１０】
前記キャプチャ準備信号は、スマイル検出動作を行うためのスマイル検出信号であることを特徴とする請求項１に記載の低電力シャッタラグ除去方法。
【請求項１１】
前記キャプチャ準備信号は、顔検出動作を行うための顔検出信号であることを特徴とする請求項１に記載の低電力シャッタラグ除去方法。
【請求項１２】
前記センサ出力イメージの低解像度の大きさは、ディスプレイの出力サイズに相応し、前記ディスプレイの出力サイズの変更に伴って可変されることを特徴とする請求項１に記載の低電力シャッタラグ除去方法。
【請求項１３】
前記センサ出力イメージの高解像度の大きさは、既設定されたサイズに相応し、使用者によって可変されることを特徴とする請求項１に記載の低電力シャッタラグ除去方法。
【請求項１４】
光電変換を実行してセンサ出力イメージを生成するイメージセンサ部と、
前記センサ出力イメージをプレビュモードで低解像度に維持し、キャプチャ準備信号に基づいて前記センサ出力イメージを高解像度に変更し、キャプチャ準備モードで前記センサ出力イメージを高解像度に維持するモード制御部と、
前記センサ出力イメージを処理してイメージデータを出力するイメージ信号処理部と、を含み、
前記低解像度は基準解像度と同一であるか、または、前記基準解像度より低い解像度であり、前記高解像度は前記基準解像度より高い解像度であることを特徴とするカメラモジュール。
【請求項１５】
システムオンチップで製造されることを特徴とする請求項１４に記載のカメラモジュール。
【請求項１６】
前記モード制御部は、前記プレビュモードでセンサ出力イメージを低解像度に設定し、前記キャプチャ準備モードで前記センサ出力イメージを高解像度に設定することを特徴とする請求項１４に記載のカメラモジュール。
【請求項１７】
前記モード制御部は、前記キャプチャ準備モードで前記センサ出力イメージがキャプチャされると、前記カメラモジュールの動作モードを前記キャプチャ準備モードから前記プレビュモードに切り替えることを特徴とする請求項１６に記載のカメラモジュール。
【請求項１８】
前記モード制御部は、前記キャプチャ準備モードが既設定された時間だけ経過すると、前記カメラモジュールの動作モードを前記キャプチャ準備モードから前記プレビュモードに切り替えることを特徴とする請求項１７に記載のカメラモジュール。
【請求項１９】
前記モード制御部は、前記キャプチャ準備モードでモード転換信号が入力されると、前記カメラモジュールの動作モードを前記キャプチャ準備モードから前記プレビュモードに切り替えることを特徴とする請求項１７に記載のカメラモジュール。
【請求項２０】
前記キャプチャ準備信号は、フォーカス動作を行うためのオートフォーカススタート信号であることを特徴とする請求項１６に記載のカメラモジュール。
【請求項２１】
前記キャプチャ準備信号は、フォーカス動作を行うための外部入力信号であることを特徴とする請求項１６に記載のカメラモジュール。
【請求項２２】
前記キャプチャ準備信号は、スマイル検出動作を行うためのスマイル検出信号であることを特徴とする請求項１６に記載のカメラモジュール。
【請求項２３】
前記キャプチャ準備信号は、顔検出動作を行うための顔検出信号であることを特徴とする請求項１６に記載のカメラモジュール。
【請求項２４】
カメライメージセンサ、アプリケーションプロセッサ、及びイメージを表示する少なくとも一つ以上のディスプレイを具備するモバイル機器であって、前記アプリケーションプロセッサは、
前記カメライメージセンサから出力されるセンサ出力イメージを前記カメライメージセンサのプレビュモードで低解像度に維持し、キャプチャ準備信号に基づいて前記センサ出力イメージを高解像度に変更し、前記センサ出力イメージを前記カメライメージセンサのキャプチャ準備モードで高解像度に維持するモードコントローラと、
前記センサ出力イメージを処理して第１イメージデータを生成するイメージ信号プロセッサと、
前記第１イメージデータを後処理して第２イメージデータを生成する後処理プロセッサと、
前記イメージを生成するための前記第２イメージデータを前記少なくとも一つ以上のディスプレイに出力するディスプレイコントローラと、を含むことを特徴とするモバイル機器。
【請求項２５】
前記アプリケーションプロセッサは、前記第１イメージデータを臨時保存して前記後処理プロセッサで出力するメモリをさらに含むことを特徴とする請求項２４に記載のモバイル機器。
【請求項２６】
前記モードコントローラは、リアルタイム運営システムを含むことを特徴とする請求項２４に記載のモバイル機器。
【請求項２７】
携帯電話、スマートフォン、デジタルカメラ、タブレット、または、ビデオカメラで具現されることを特徴とする請求項２４に記載のモバイル機器。
【請求項２８】
前記アプリケーションプロセッサは、少なくとも一つ以上の入出力端子を通じて外部ディスプレイに接続され、前記イメージデータを前記外部ディスプレイに出力することを特徴とする請求項２７に記載のモバイル機器。
【請求項２９】
前記アプリケーションプロセッサと前記カメライメージセンサとは、ＭＩＰＩ、ＩＴＵ−Ｒ  ＢＴ．６０１、ＩＴＵ−Ｒ  ＢＴ．６５６またはＩＴＵ−Ｒ  ＢＴ.７０９に基づいて通信を実行することを特徴とする請求項２７に記載のモバイル機器。
【請求項３０】
前記キャプチャ準備信号は、フォーカス動作を行うためのオートフォーカススタート信号であることを特徴とする請求項２７に記載のモバイル機器。
【請求項３１】
前記キャプチャ準備信号は、フォーカス動作を行うための外部入力信号であることを特徴とする請求項２７に記載のモバイル機器。
【請求項３２】
前記キャプチャ準備信号は、スマイル検出動作を行うためのスマイル検出信号であることを特徴とする請求項２７に記載のモバイル機器。
【請求項３３】
前記キャプチャ準備信号は、顔検出動作を行うための顔検出信号であることを特徴とする請求項２７に記載のモバイル機器。
【請求項３４】
イメージセンサのイメージ出力解像度として第１解像度を利用して前記イメージセンサからプレビュイメージを出力させる段階と、
カメラモジュールに受信されるキャプチャ準備信号に応答して前記イメージセンサの前記イメージ出力解像度を前記第１解像度から前記第１解像度より高い第２解像度に変更させる段階と、
前記カメラモジュールに受信されるキャプチャ信号に応答して前記イメージセンサの前記イメージ出力解像度として前記第２解像度を利用して選択されたイメージをキャプチャする段階と、を含み、
前記キャプチャ準備信号は、前記キャプチャ信号より先に前記カメラモジュールに受信されることを特徴とするカメラモジュールのイメージセンサ動作方法。
【請求項３５】
前記キャプチャ準備信号は、フォーカス動作を実行するための外部入力信号であることを特徴とする請求項３４に記載のカメラモジュールのイメージセンサ動作方法。
【請求項３６】
前記キャプチャ準備信号は、スマイル検出動作を実行するためのスマイル検出信号であることを特徴とする請求項３４に記載のカメラモジュールのイメージセンサ動作方法。 
【請求項３７】
前記キャプチャ準備信号は、顔検出動作を実行するための顔検出信号であることを特徴とする請求項３４に記載のカメラモジュールのイメージセンサ動作方法。
【発明の詳細な説明】
【技術分野】
【０００１】
本発明は電子機器に係り、より詳細には、カメラモジュールを備えたモバイル機器に関する。
【背景技術】
【０００２】
最近のモバイルコンバージェンス（ｍｏｂｉｌｅ  ｃｏｎｖｅｒｇｅｎｃｅ）の進展に伴いほとんどのモバイル機器は、カメラモジュールを備えている。一般的に、シャッタラグ（ｓｈｕｔｔｅｒ  ｌａｇ）は使用者がシャッタリリースボタンを押した時点とイメージキャプチャ（ｉｍａｇｅ  ｃａｐｔｕｒｅ）が行われる時点との間の遅延（ｄｅｌａｙ）を意味し、カメラモジュールの性能を評価する上で重要な評価要素の一つである。例えば、シャッタラグが大きいカメラモジュールの場合、使用者は所望の瞬間イメージを正確に得ることができない。
【０００３】
従来のカメラモジュールでは、シャッタラグを減少させるために、センサ出力イメージをプレビュ（ｐｒｅｖｉｅｗ）モードでも使用者が撮像サイズを設定できるように維持させていた。この場合、プレビュモードでもセンサ出力イメージが高解像度で維持されるので、カメラモジュールは不必要な電力を消費してしまう。その結果、従来のカメラモジュールは、シャッタラグと不必要な電力消費との関係をトレード−オフ（ｔｒａｄｅ−ｏｆｆ）して選択しなければならないという問題があった。
【先行技術文献】
【特許文献】
【０００４】
【特許文献１】韓国特許第０６０２７０５号公報
【特許文献２】韓国特許第０６５０８７１号公報
【特許文献３】特許第４０１８６９５号公報
【特許文献４】米国特許出願公開第２０１１／０１２２２６９号明細書
【発明の概要】
【発明が解決しようとする課題】
【０００５】
本発明の一目的は、カメライメージセンサ（Ｃａｍｅｒａ  Ｉｍａｇｅ  Ｓｅｎｓｏｒ；ＣＩＳ）のプレビュモードでセンサ出力イメージを低解像度に維持しつつも、カメライメージセンサのキャプチャ準備モードで、イメージキャプチャ時、シャッタラグを除去できる低電力シャッタラグ除去方法を提供することにある。
【０００６】
本発明の他の目的は、カメライメージセンサのプレビュモードでセンサ出力イメージを低解像度に維持しつつも、カメライメージセンサのキャプチャ準備モードでイメージキャプチャ時、シャッタラグを除去できるカメラモジュールを提供することにある。
【０００７】
本発明のまた他の目的は、前記カメラモジュールを具備するモバイル機器を提供することにある。
【０００８】
なお、本発明の解決しようとする課題は、上述した課題に限定されず、本発明の思想、及び領域から逸脱しない範囲で多様に拡張される。
【課題を解決するための手段】
【０００９】
本発明の一目的を達成するために、本発明の実施形態に係る低電力シャッタラグ除去方法は、カメライメージセンサのプレビュモード（ｐｒｅｖｉｅｗ  ｍｏｄｅ）でセンサ出力イメージを低解像度に維持する段階、キャプチャ準備信号に基づいて前記センサ出力イメージを高解像度に変更して、前記カメライメージセンサをキャプチャ準備モード（ｃａｐｔｕｒｅ  ｐｒｅｐａｒａｔｉｏｎ  ｍｏｄｅ）に進入させる段階、及び前記キャプチャ準備モードでキャプチャ信号に応答して前記センサ出力イメージをキャプチャ（ｃａｐｔｕｒｅ）する段階を含むことができる。ここで、前記低解像度は基準解像度と同一であるか、または、基準解像度より低い解像度であり、前記高解像度は前記基準解像度より高い解像度である。
【００１０】
一実施形態によれば、前記低電力シャッタラグ除去方法は、前記センサ出力イメージがキャプチャされると、前記センサ出力イメージを低解像度に変更して前記カメライメージセンサを前記プレビュモードに再進入させる段階をさらに含むことができる。
【００１１】
一実施形態によれば、前記低電力シャッタラグ除去方法は、前記キャプチャ準備モードが既設定された時間だけ経過すると、前記センサ出力イメージを低解像度に変更して前記カメライメージセンサを前記プレビュモードに再進入させる段階をさらに含むことができる。
【００１２】
一実施形態によれば、前記低電力シャッタラグ除去方法は、前記キャプチャ準備モードでモード転換信号が入力されると、前記センサ出力イメージを低解像度に変更して前記カメライメージセンサを前記プレビュモードに再進入させる段階をさらに含むことができる。
【００１３】
一実施形態によれば、前記センサ出力イメージは、前記プレビュモードに前記キャプチャ準備信号が入力されると同時に低解像度から高解像度に変更することができる。
【００１４】
一実施形態によれば、前記センサ出力イメージは、前記プレビュモードで前記キャプチャ準備信号が入力されると、既設定された時間が経過した後、低解像度から高解像度に変更することができる。
【００１５】
一実施形態によれば、前記キャプチャ準備信号は、フォーカス動作を行うためのオートフォーカススタート信号（ａｕｔｏ  ｆｏｃｕｓ  ｓｔａｒｔ  ｓｉｇｎａｌ）とすることができる。
【００１６】
一実施形態によれば、前記キャプチャ準備信号は、フォーカス動作を行うための外部入力信号（ｅｘｔｅｒｎａｌ  ｉｎｐｕｔ  ｓｉｇｎａｌ）とすることができる。
【００１７】
一実施形態によれば、前記外部入力信号は、タッチ入力信号、ボタン入力信号、音声入力信号のうちから選択される少なくとも一つ以上の信号とすることができる。
【００１８】
一実施形態によれば、前記キャプチャ準備信号は、スマイル検出動作を行うためのスマイル検出信号（ｓｍｉｌｅ  ｄｅｔｅｃｔ  ｓｉｇｎａｌ）とすることができる。
【００１９】
一実施形態によれば、前記キャプチャ準備信号は顔検出動作を行うための顔検出信号（ｆａｃｅ  ｄｅｔｅｃｔ  ｓｉｇｎａｌ）とすることができる。
【００２０】
一実施形態によれば、前記センサ出力イメージの低解像度の大きさは、ディスプレイの出力サイズに相応し、前記ディスプレイの出力サイズを変更することによって可変することができる。
【００２１】
一実施形態によれば、前記センサ出力イメージの高解像度の大きさは既設定されたサイズに相応して、使用者によって可変することができる。
【００２２】
本発明の他の目的を達成するために、本発明の実施形態に係るカメラモジュールは、光電変換を実行してセンサ出力イメージを生成するイメージセンサ部、前記センサ出力イメージをプレビュモード（ｐｒｅｖｉｅｗ  ｍｏｄｅ）で低解像度に維持し、キャプチャ準備信号に基づいて前記センサ出力イメージを高解像度に変更し、キャプチャ準備モード（ｃａｐｔｕｒｅ  ｐｒｅｐａｒａｔｉｏｎ  ｍｏｄｅ）で前記センサ出力イメージを高解像度に維持するモード制御部、及び前記センサ出力イメージを処理（ｐｒｏｃｅｓｓｉｎｇ）してイメージデータを出力するイメージ信号処理部を含むことができる。ここで、前記低解像度は基準解像度と同一であるか、または、基準解像度より低い解像度であり、前記高解像度は前記基準解像度より高い解像度である。
【００２３】
一実施形態によれば、システムオンチップ（Ｓｙｓｔｅｍ  Ｏｎ  Ｃｈｉｐ；ＳＯＣ）で製造することができる。
【００２４】
一実施形態によれば、前記モード制御部は、前記プレビュモードでセンサ出力イメージを低解像度に維持し、前記キャプチャ準備モードで前記センサ出力イメージを高解像度に維持することができる。
【００２５】
一実施形態によれば、前記モード制御部は前記キャプチャ準備モードで前記センサ出力イメージがキャプチャされると、前記カメラモジュールの動作モードを前記キャプチャ準備モードから前記プレビュモードに切り替えることができる。
【００２６】
一実施形態によれば、前記モード制御部は、前記キャプチャ準備モードが既設定された時間ほど経過すれば、前記カメラモジュールの動作モードを前記キャプチャ準備モードから前記プレビュモードに切り替えることができる。
【００２７】
一実施形態によれば、前記モード制御部は、前記キャプチャ準備モードでモード転換信号が入力されると、前記カメラモジュールの動作モードを前記キャプチャ準備モードから前記プレビュモードに切り替えることができる。
【００２８】
一実施形態によれば、前記キャプチャ準備信号は、フォーカス動作を行うためのオートフォーカススタート信号（ａｕｔｏ  ｆｏｃｕｓ  ｓｔａｒｔ  ｓｉｇｎａｌ）とすることができる。
【００２９】
一実施形態によれば、前記キャプチャ準備信号は、フォーカス動作を行うための外部入力信号（ｅｘｔｅｒｎａｌ  ｉｎｐｕｔ  ｓｉｇｎａｌ）とすることができる。  
【００３０】
一実施形態によれば、前記キャプチャ準備信号は、スマイル検出動作を行うためのスマイル検出信号（ｓｍｉｌｅ  ｄｅｔｅｃｔ  ｓｉｇｎａｌ）とすることができる。
【００３１】
一実施形態によれば、前記キャプチャ準備信号は、顔検出動作を行うための顔検出信号（ｆａｃｅ  ｄｅｔｅｃｔ  ｓｉｇｎａｌ）とすることができる。
【００３２】
本発明のまた他の目的を達成するために、本発明の実施形態に係るモバイル機器はカメライメージセンサ、アプリケーションプロセッサ、及びイメージを表示する少なくとも一つ以上のディスプレイを具備することができ、前記アプリケーションプロセッサは、前記カメライメージセンサから出力されるセンサ出力イメージを前記カメライメージセンサのプレビュモード（ｐｒｅｖｉｅｗ  ｍｏｄｅ）で低解像度に維持し、キャプチャ準備信号に基づいて前記センサ出力イメージを高解像度に変更し、前記センサ出力イメージを前記カメライメージセンサのキャプチャ準備モード（ｃａｐｔｕｒｅ  ｐｒｅｐａｒａｔｉｏｎ  ｍｏｄｅ）で高解像度に維持するモードコントローラ、前記センサ出力イメージを処理（ｐｒｏｃｅｓｓｉｎｇ）して、第１イメージデータを生成するイメージ信号プロセッサ、前記第１イメージデータを後処理（ｐｏｓｔ  ｐｒｏｃｅｓｓｉｎｇ）して第２イメージデータを生成する後処理プロセッサ、及び前記イメージを生成するための前記第２イメージデータを前記少なくとも一つ以上のディスプレイに出力するディスプレイコントローラを含むことができる。
【００３３】
一実施形態によれば、前記アプリケーションプロセッサは、前記第１イメージデータを臨時保存して前記後処理プロセッサで出力するメモリをさらに含むことができる。
【００３４】
一実施形態によれば、前記モードコントローラは、リアルタイム運営システム（Ｒｅａｌ−Ｔｉｍｅ  Ｏｐｅｒａｔｉｏｎ  Ｓｙｓｔｅｍ；ＲＴＯＳ）を含むことができる。
【００３５】
一実施形態によれば、前記モバイル機器は、携帯電話、スマートフォン、デジタルカメラ、タブレットまたは、ビデオカメラで具現することができる。
【００３６】
一実施形態によれば、前記アプリケーションプロセッサは、少なくとも一つ以上の入出力端子を介して外部ディスプレイに接続され、前記イメージデータを前記外部ディスプレイに出力することができる。
【００３７】
一実施形態によれば、前記アプリケーションプロセッサと前記カメライメージセンサは、ＭＩＰＩ、ＩＴＵ−Ｒ  ＢＴ．６０１、ＩＴＵ−Ｒ  ＢＴ．６５６またはＩＴＵ−Ｒ  ＢＴ.７０９に基づいて通信を実行することができる。
【００３８】
一実施形態によれば、前記キャプチャ準備信号は、フォーカス動作を行うためのオートフォーカススタート信号（ａｕｔｏ  ｆｏｃｕｓ  ｓｔａｒｔ  ｓｉｇｎａｌ）とすることができる。
【００３９】
一実施形態によれば、前記キャプチャ準備信号は、フォーカス動作を行うための外部入力信号（ｅｘｔｅｒｎａｌ  ｉｎｐｕｔ  ｓｉｇｎａｌ）とすることができる。
【００４０】
一実施形態によれば、前記キャプチャ準備信号は、スマイル検出動作を行うためのスマイル検出信号（ｓｍｉｌｅ  ｄｅｔｅｃｔ  ｓｉｇｎａｌ）とすることができる。
【００４１】
一実施形態によれば、前記キャプチャ準備信号は、顔検出動作を行うための顔検出信号（ｆａｃｅ  ｄｅｔｅｃｔ  ｓｉｇｎａｌ）とすることができる。
【００４２】
本発明のまた他の目的を達成するために、本発明の実施形態に係るカメラモジュールのイメージセンサ動作方法は、イメージセンサのイメージ出力解像度として第１解像度を利用して前記イメージセンサからプレビュイメージを出力させる段階と、カメラモジュールに受信されるキャプチャ準備信号に応答して前記イメージセンサの前記イメージ出力解像度を前記第１解像度から前記第１解像度より高い第２解像度に変更させる段階と、前記カメラモジュールに受信されるキャプチャ信号に応答して前記イメージセンサの前記イメージ出力解像度として前記第２解像度を利用して選択されたイメージをキャプチャする段階とを含むことができる。ここで、前記キャプチャ準備信号は前記キャプチャ信号より先に前記カメラモジュールに受信することができる。
【発明の効果】
【００４３】
本発明の実施形態に係る低電力シャッタラグ除去方法は、カメライメージセンサのプレビュモード（ｐｒｅｖｉｅｗ  ｍｏｄｅ）でセンサ出力イメージを低解像度に維持し、キャプチャ準備信号に基づいてセンサ出力イメージを高解像度に変更し、カメライメージセンサのキャプチャ準備モード（ｃａｐｔｕｒｅ  ｐｒｅｐａｒａｔｉｏｎ  ｍｏｄｅ）でセンサ出力イメージを高解像度に維持することによって、カメライメージセンサのプレビュモードで不必要な電力が消費されるのを防止するだけでなく、カメライメージセンサのキャプチャ準備モードでキャプチャ動作時、発生するシャッタラグを効率的に除去することができる。
【００４４】
本発明の実施形態に係るカメラモジュール及びそれを備えたモバイル機器は、カメライメージセンサのプレビュモードでセンサ出力イメージを低解像度に維持し、キャプチャ準備信号に基づいてセンサ出力イメージを高解像度に変更し、カメライメージセンサのキャプチャ準備モードでセンサ出力イメージを高解像度に維持することによって、カメライメージセンサのプレビュモードで不必要な電力が消費されるのを防止するだけでなく、カメライメージセンサのキャプチャ準備モードでキャプチャ動作時、発生するシャッタラグを効率的に除去することができる。
【００４５】
ただし、本発明の効果はこれに限定されるのではなく、本発明の思想、及び領域から逸脱しない範囲で多様に拡張される。
【図面の簡単な説明】
【００４６】
【図１】本発明の一実施形態に係るシャッタラグ除去方法を示すフローチャート。
【図２】図１のシャッタラグ除去方法を説明するための図。
【図３】本発明の他の実施形態に係るシャッタラグ除去方法を示すフローチャート。
【図４】図３のシャッタラグ除去方法を説明するための図。
【図５】本発明のまた他の実施形態に係るシャッタラグ除去方法を示すフローチャート。
【図６】図５のシャッタラグ除去方法を説明するための図。
【図７】本発明のまた他の実施形態に係るシャッタラグ除去方法を示すフローチャート。
【図８】図７のシャッタラグ除去方法を説明するための図。
【図９】本発明の実施形態に係るシャッタラグ除去方法を示す概念図。
【図１０】本発明の実施形態に係るシャッタラグ除去方法を示すタイミング図。
【図１１】本発明の実施形態に係るカメラモジュールを示すブロック図。
【図１２】図１１のカメラモジュールに備わるイメージセンサ部の一例を示すブロック図。
【図１３】図１１のカメラモジュールに備わるイメージ信号処理部の一例を示すブロック図。
【図１４】図１１のカメラモジュールに備わるモード制御部の一例を示すブロック図。
【図１５】図１１のカメラモジュールがモバイル機器に適用されること例を示すブロック図。
【図１６】図１１のカメラモジュールがモバイル機器に適用される他の例を示すブロック図。
【図１７】図１１のカメラモジュールがモバイル機器に適用されるまた他の例を示すブロック図。
【図１８】図１１のカメラモジュールがモバイル機器に適用されるまた他の例を示すブロック図。
【図１９】本発明の実施形態に係るカメラモジュールを備えたモバイル機器を示すブロック図。
【図２０】図１９のモバイル機器が外部ディスプレイに接続されること例を示す図。
【図２１】図１９のモバイル機器で具現される多様な例を示す図。
【図２２】図１９のモバイル機器で具現される多様な例を示す図。
【図２３】図１９のモバイル機器で具現される多様な例を示す図。
【図２４】図１９のモバイル機器で具現される多様な例を示す図。
【図２５】本発明の実施形態に係るカメラモジュールを備えた電子機器を示すブロック図。
【図２６】図２５の電子機器で使われるインターフェースの一例を示すブロック図。
【発明を実施するための最良の形態】
【００４７】
本明細書に開示されている本発明の実施形態に対して、特定の構造的、機能的説明は、単に本発明の実施形態を説明するための目的で例示されたものであり、本発明の実施形態は多様な形態で実施することができ、本発明は、本明細書に説明された実施形態に限定されるものではない。
本発明は多様な変更を加えることができ、種々の形態を有することができるが、特定の実施形態を図面に例示して本明細書に詳細に説明する。しかし、これは本発明を特定の開示形態に限定しようとするものではなく、本発明の思想、及び技術範囲に含まれるすべての変更、均等物、代替物を含むと理解すべきである。
【００４８】
本明細書において、第１、第２等の用語は多様な構成要素を説明するのに使用されているが、これらの構成要素がこのような用語によって限定されるものではない。これらの用語は一つの構成要素を他の構成要素から区別する目的で使われ、例えば、本発明の権利範囲から逸脱しなければ第１構成要素は第２構成要素と命名することができ、同様に第２構成要素も第１構成要素と命名することができる。
【００４９】
ある構成要素が他の構成要素に「連結されて」いる、または「接続されて」いると言及されている場合には、その他の構成要素に直接的に連結されていたり、接続されていることも意味するが、中間に他の構成要素が存在する場合も含む。一方、ある構成要素が他の構成要素に「直接連結されて」いる、または「直接接続されて」いると言及されている場合には、中間に他の構成要素は存在しない。構成要素の間の関係を説明する他の表現、すなわち「〜間に」と「直接〜間に」または「〜に隣接する」と「〜に直接隣接する」等も同様である。
【００５０】
本明細書で使用した用語は、単に特定の実施形態を説明するために使用したものであり、本発明を限定するものではない。単数の表現は文脈上明白に異なるように意味しない限り、複数の表現を含む。また、本明細書で、「含む」又は「有する」等の用語は、明細書上に記載された特徴、数字、段階、動作、構成要素、部品又は、これを組み合わせたものが存在するということを示すものであって、一つ又はそれ以上の他の特徴や数字、段階、動作、構成要素、部品又は、これを組み合わせたものなどの存在又は、付加の可能性を、予め排除するものではない。
【００５１】
また、別に定義しない限り、技術的あるいは科学的用語を含み、本明細書中において使用される全ての用語は、本発明が属する技術分野で通常の知識を有する者が、一般的に理解するのと同一の意味を有する。一般的に使用される辞書において定義される用語と同じ用語は、関連技術の文脈上で有する意味と一致する意味を有すると理解するべきで、本明細書において明白に定義しない限り、理想的あるいは形式的な意味として解釈してはならない。
【００５２】
以下、図面を参照して、本発明の望ましい実施の形態の具体例を詳細に説明する。図面中の同一構成要素については同一参照符号を使用し、同一構成要素についての重複した説明は省略する。
【００５３】
図１は本発明の一実施形態に係るシャッタラグ除去方法を示すフローチャートである。
【００５４】
図１を参照すれば、図１のシャッタラグ除去方法は、カメライメージセンサのプレビュモード（ｐｒｅｖｉｅｗ  ｍｏｄｅ）でセンサ出力イメージを低解像度に維持（ステップＳ１２０）し、キャプチャ準備信号に基づいてセンサ出力イメージを高解像度に変更してカメライメージセンサをキャプチャ準備モード（ｃａｐｔｕｒｅ  ｐｒｅｐａｒａｔｉｏｎ  ｍｏｄｅ）に進入（ステップＳ１４０）させ、カメライメージセンサのキャプチャ準備モードでキャプチャ信号に応答してセンサ出力イメージをキャプチャ（ステップＳ１６０）することができる。さらに、図１のシャッタラグ除去方法は、カメライメージセンサのキャプチャ準備モードでセンサ出力イメージがキャプチャされると、センサ出力イメージのキャプチャ完了時点にセンサ出力イメージを低解像度に変更し、カメライメージセンサをプレビュモードに再進入（ステップＳ１８０）させることができる。
【００５５】
一般的に、カメラモジュールを具備するモバイル機器は使用者がカメラ機能を選択すると、カメラモジュール内のカメライメージセンサは、イメージをリアルタイムであらかじめ見ることのできるプレビュモードに進入する。即ち、使用者はプレビュモードでプレビュ画像を見ながら被写体を選択することができる。この時、使用者がシャッタリリースボタン（ｓｈｕｔｔｅｒ  ｒｅｌｅａｓｅ  ｂｕｔｔｏｎ）を押すと、被写体に相応するイメージがキャプチャできる。このように、プレビュモードは使用者に便宜性を提供することができる。しかし、カメライメージセンサがプレビュモードで動作する時、カメライメージセンサから出力されるセンサ出力イメージを高解像度に設定（即ち、フルフレームプレビュ（ｆｕｌｌ  ｆｒａｍｅ  ｐｒｅｖｉｅｗ））すると、不要な電力を消費してしまう。
【００５６】
これに対し、カメライメージセンサのプレビュモードではセンサ出力イメージを低解像度に維持し、使用者がシャッタリリースボタンを押すことによって発生するキャプチャ信号が入力されてから、センサ出力イメージを高解像度に変更してイメージキャプチャを行う方式が多く利用されている。しかし、センサ出力イメージを低解像度から高解像度に変更する一連の動作には所定の遅延（ｄｅｌａｙ）が伴うので、使用者がシャッタリリースボタンを押した時点とイメージがキャプチャされる時点とは、互いに相違する。
【００５７】
このように、シャッタラグは、使用者がシャッタリリースボタンを押した時点とイメージキャプチャが行われる時点との間の遅延を意味し、このようなシャッタラグために使用者は、所望する瞬間のイメージを正確に得ることができない。例えば、カメラモジュールを具備した携帯電話では、シャッタラグが０.１秒〜０.３秒程度になるから、使用者はシャッタリリースボタンを押した時点から前記時間が経過した時点のイメージを得ることができる。
【００５８】
一方、使用者はシャッタリリース ボタンを押したりまたは、他の動作を実行することによって、イメージキャプチャ動作によりシャッタが開かれたり閉じられたりするシャッタリリース動作をトリガ（ｔｒｉｇｇｅｒ）させることができる。以下、本明細書では、明確にするために、シャッタリリース動作を始めることを、シャッタをトリガする、または、シャッタリリースボタンを押すと表現する。ただし、シャッタリリース動作を開始させる方法がシャッタをトリガしたり、または、シャッタリリースボタンを押すことだけに限定されるものではない。
【００５９】
このような問題点を解決するために、図１のシャッタラグ除去方法は、カメライメージセンサのプレビュモードでセンサ出力イメージを低解像度に維持（ステップＳ１２０）する。即ち、シャッタラグを除去するために、カメライメージセンサのプレビュモードでセンサ出力イメージを高解像度に維持するのは不要な電力消費を発生させることになるので、図１のシャッタラグ除去方法では、カメライメージセンサのプレビュモードではセンサ出力イメージを低解像度に維持させる。実施形態により、図１のシャッタラグ除去方法は、センサ出力イメージを低解像度に維持させておいて、サブサンプリング機能（ｓｕｂ  ｓａｍｐｌｉｎｇ  ｆｕｎｃｔｉｏｎ）を適用することができる。
【００６０】
本発明では、センサ出力イメージを「低解像度」と「高解像度」とに区分したが、センサ出力イメージの解像度とは、センサ出力イメージの画素（ｐｉｘｅｌ）、サイズ（ｓｉｚｅ）、容量（ｃａｐａｃｉｔｙ）、サンプリングレート（ｓａｍｐｌｉｎｇ  ｒａｔｅ）などを全部含む意味として理解すべきである。この時、「低解像度」とは基準解像度と同一であるか、または、基準解像度より低い解像度であり、「高解像度」とは基準解像度より高い解像度である。
【００６１】
一方、センサ出力イメージの低解像度の大きさは、ディスプレイの出力サイズに対応させることができる。例えば、低解像度のセンサ出力イメージは、ＶＧＡ（６４０×４８０）サイズに選択することができる。さらに、ディスプレイの出力サイズが変更される場合に、センサ出力イメージの低解像度の大きさは可変することができる。例えば、図１のシャッタラグ除去方法を採用するカメラモジュールが外部ディスプレイに接続されて外部ディスプレイにイメージデータを出力する場合に、センサ出力イメージの低解像度の大きさは外部ディスプレイの出力サイズに対応するように変更することができる。
【００６２】
図１のシャッタラグ除去方法は、カメライメージセンサのプレビュモードでキャプチャ準備信号が入力されると、キャプチャ準備信号に応答してセンサ出力イメージを高解像度に変更することによって、カメライメージセンサをイメージキャプチャを準備するためのキャプチャ準備モードに進入（ステップＳ１４０）させることができる。即ち、図１のシャッタラグ除去方法は、カメライメージセンサのキャプチャ準備モードでシャッタリリースボタンが押される時、センサ出力イメージを高解像度に変更するのではなく、カメライメージセンサがプレビュモードでキャプチャ準備モードに進入すると同時に、センサ出力イメージを高解像度に変更する。
【００６３】
その結果、キャプチャ信号が入力される時点（即ち、使用者がシャッタリリースボタンを押す時点）では、既にセンサ出力イメージが高解像度に変更されているので、使用者がシャッタリリースボタンを押した以後はセンサ出力イメージを低解像度から高解像度に変更する一連の動作は要求されない。これにより、使用者がシャッタリリースボタンを押した時点とイメージキャプチャが行われる時点との間の遅延であるシャッタラグを発生させないようにすることができる。
【００６４】
一方、センサ出力イメージの高解像度の大きさは、既設定されたサイズに相当し、使用者によって可変することができる。例えば、高解像度のセンサ出力イメージは、フルフレームサイズ、即ち、５Ｍ（２６０８×１９６０）、８Ｍ（３２６４×２４４８）などに選択することができる。このように、図１のシャッタラグ除去方法を採用したカメラモジュールは、イメージをリアルタイムで見るためのプレビュモードとイメージキャプチャを準備するためのキャプチャ準備モードとで動作することができる。例えば、図１のシャッタラグ除去方法を採用したカメラモジュールにおいて、プレビュモードは、実質的に低解像度プレビュモードと命名することができ、キャプチャ準備モードは、実質的に高解像度プレビュモードと命名することができる。
【００６５】
一実施形態において、キャプチャ準備信号は、フォーカス動作を行うためのオートフォーカススタート信号（ａｕｔｏ  ｆｏｃｕｓ  ｓｔａｒｔ  ｓｉｇｎａｌ）とすることができる。例えば、使用者がカメラ機能設定メニュでオートフォーカス機能を選択する場合に、センサ出力イメージが低解像度から高解像度に変更される時点は、前記オートフォーカススタート信号が入力される時点とすることができる。
【００６６】
他の実施形態において、キャプチャ準備信号はフォーカス動作を行うための外部入力信号（ｅｘｔｅｒｎａｌ  ｉｎｐｕｔ  ｓｉｇｎａｌ）とすることができる。この時、外部入力信号はタッチ入力信号、ボタン入力信号、音声入力信号のうちから選択される少なくとも一つ以上の信号とすることができる。例えば、使用者がディスプレイ上でフォーカスを合わせたい被写体にタッチを加えたり、カメラフォーカスボタンを押したり、または、フォーカス動作実行のための音声を出す場合に、センサ出力イメージが低解像度から高解像度に変更される時点は、使用者によって前記外部入力信号が入力される時点とすることができる。
【００６７】
また他の実施形態において、キャプチャ準備信号はスマイル検出動作を行うためのスマイル検出信号（ｓｍｉｌｅ  ｄｅｔｅｃｔ  ｓｉｇｎａｌ）とすることができる。例えば、使用者がカメラ機能設定メニュでスマイル検出機能を選択する場合に、センサ出力イメージが低解像度から高解像度に変更される時点は被写体（即ち、人）のスマイルが検出されてスマイル検出信号が生成される時点とすることができる。
【００６８】
また他の実施形態において、キャプチャ準備信号は顔検出動作を行うための顔検出信号（ｆａｃｅ  ｄｅｔｅｃｔ  ｓｉｇｎａｌ）とすることができる。例えば、使用者がカメラ機能設定メニュで顔検出機能を選択する場合に、センサ出力イメージが低解像度から高解像度に変更される時点は、被写体（即ち、人）の顔が検出されて顔検出信号が生成される時点とすることができる。実施形態によって、キャプチャ準備信号は使用者によってシャッタリリースボタンが押される以前にカメラで生成することのできる多様な信号のうちから多様に選択することができる。
【００６９】
一方、センサ出力イメージがキャプチャ準備信号に応答して低解像度から高解像度に変更する場合、センサ出力イメージは、カメライメージセンサのプレビュモードでキャプチャ準備信号が入力されると同時に、低解像度から高解像度に変更することができる。または、センサ出力イメージはカメライメージセンサのプレビュモードでキャプチャ準備信号が入力されると、既設定された時間が経過した後に低解像度から高解像度に変更することができる。一般的に、センサ出力イメージが低解像度から高解像度に変更される時、カメラモジュールの動作モードもプレビュモードからキャプチャ準備モードに切り替わるので、センサ出力イメージはカメライメージセンサのプレビュモードでキャプチャ準備信号が入力されると同時に低解像度から高解像度に変更するのが望ましい。
【００７０】
しかし、センサ出力イメージがカメライメージセンサのプレビュモードでキャプチャ準備信号が入力されると同時に低解像度から高解像度に変更される場合、ディスプレイ上に表示されるイメージに切れ、雑音、残像などが発生することがある。このような場合には、クロックエッジ（ｃｌｏｃｋ  ｅｄｇｅ）などを一致させるために、キャプチャ準備信号の入力時点から既設定された時間が経過した後に、センサ出力イメージを低解像度から高解像度に変更することができる。
【００７１】
カメライメージセンサのキャプチャ準備モードで使用者がシャッタリリースボタンを押すことによってキャプチャ信号が生成されると、図１のシャッタラグ除去方法は、このようなキャプチャ信号に応答してセンサ出力イメージをキャプチャ（ステップＳ１６０）することができる。上述した通り、カメライメージセンサのキャプチャ準備モードでは、センサ出力イメージが高解像度に既に変更されているので、センサ出力イメージを低解像度から高解像度に変更する一連の動作が要求されず、使用者がシャッタリリースボタンを押した時点とイメージキャプチャが行われる時点との間の遅延であるシャッタラグが発生しない。
【００７２】
さらに、キャプチャ準備信号がオートフォーカススタート信号、外部入力信号（例えば、タッチ入力信号、ボタン入力信号、音声入力信号など）、スマイル検出信号、顔検出信号などのようにフォーカス動作と関連した信号であるので、カメライメージセンサのキャプチャ準備モードで前記キャプチャ準備信号に応じてフォーカス動作を共に実行することができる。従って、使用者は実質的にカメラモジュールで発生する最大の遅延に該当するフォーカス動作による遅延を感じない可能性もある。実施形態によって、図１のシャッタラグ除去方法は、カメラモジュールでフォーカス動作が完了する場合、使用者にフォーカス動作が完了したことを視覚的または聴覚的に認知させることができる。
【００７３】
その後、図１のシャッタラグ除去方法は、前記段階（ステップＳ１６０）でセンサ出力イメージがキャプチャされると、センサ出力イメージを低解像度に変更してカメライメージセンサをプレビュモードに再進入（ステップＳ１８０）させることができる。さらに、図１のシャッタラグ除去方法は、新しいイメージキャプチャのために前記段階（ステップＳ１２０、ステップＳ１４０、ステップＳ１６０、ステップＳ１８０）を継続的に繰り返すこともできる。
【００７４】
このように、図１のシャッタラグ除去方法は、カメライメージセンサのプレビュモードでセンサ出力イメージを低解像度に維持し、キャプチャ準備信号に基づいてセンサ出力イメージを高解像度に変更し、カメライメージセンサのキャプチャ準備モードでセンサ出力イメージを高解像度に維持することによって、カメライメージセンサのプレビュモードで不必要な電力が消費されるのを防止するだけでなく、カメライメージセンサのキャプチャ準備モードでキャプチャ動作時に発生するシャッタラグを効率的に除去することができる。
【００７５】
図２は図１のシャッタラグ除去方法を説明するための図である。
図２を参照すれば、図１のシャッタラグ除去方法によれば、カメラモジュールの動作モードをプレビュモード１１、１３と、キャプチャ準備モード１２との間で切り替えることができる。カメライメージセンサのプレビュモード１１、１３では、センサ出力イメージを低解像度に維持し、カメライメージセンサのキャプチャ準備モード１２では、センサ出力イメージを高解像度に維持することができる。従って、カメライメージセンサのプレビュモード１１、１３は、実質的に低解像度プレビュモードと命名することができ、カメライメージセンサのキャプチャ準備モード１２は実質的に高解像度プレビュモードと命名することができる。
【００７６】
図２に示したように、図１のシャッタラグ除去方法は、カメライメージセンサのプレビュモード１１でキャプチャ準備信号ＰＳＥが入力されると、キャプチャ準備信号ＰＳＥに応答してセンサ出力イメージを高解像度に変更して、カメライメージセンサをイメージキャプチャを準備するためのキャプチャ準備モード１２に進入させることができる。この時、キャプチャ準備信号ＰＳＥは、オートフォーカススタート信号、外部入力信号（例えば、タッチ入力信号、ボタン入力信号、音声入力信号など）、スマイル検出信号、顔検出信号を含むことができる。
【００７７】
カメライメージセンサのキャプチャ準備モード１２で使用者がシャッタリリースボタンを押すことによって生成されるキャプチャ信号ＳＳが入力されると、図１のシャッタラグ除去方法は、このようなキャプチャ信号ＳＳに応答してセンサ出力イメージをキャプチャすることができる。この時、カメライメージセンサのキャプチャ準備モード１２ではセンサ出力イメージが高解像度に既に変更されているので、センサ出力イメージを低解像度から高解像度に変更する一連の動作が要求されない。したがって、使用者がシャッタを押した時点とイメージキャプチャが行われる時点との間の遅延であるシャッタラグが発生しない。
【００７８】
さらに、図１のシャッタラグ除去方法は、カメライメージセンサのキャプチャ準備モード１２でセンサ出力イメージがキャプチャされると、センサ出力イメージのキャプチャ完了時点ＣＳでセンサ出力イメージを低解像度に変更して、カメライメージセンサをプレビュモード１３に再進入させることができる。即ち、カメライメージセンサのプレビュモード１３で新しいイメージキャプチャのためのキャプチャ準備信号ＰＳＥが入力される時まで、センサ出力イメージは、再び低解像度に維持される。
【００７９】
このように、図１のシャッタラグ除去方法は、カメライメージセンサのプレビュモード１１、１３で不必要な電力が消費されるのを防止できるだけでなく、カメライメージセンサのキャプチャ準備モード１２でキャプチャ動作時に発生するシャッタラグを効率的に除去することができる。
【００８０】
図３は本発明の他の実施形態に係るシャッタラグ除去方法を示すフローチャートである。
図３を参照すれば、図３のシャッタラグ除去方法は、カメライメージセンサのプレビュモードでセンサ出力イメージを低解像度に維持（ステップＳ２２０）し、キャプチャ準備信号に応答してセンサ出力イメージを高解像度に変更してカメライメージセンサをキャプチャ準備モードに進入（ステップＳ２４０）させ、カメライメージセンサのキャプチャ準備モードでキャプチャ信号に応答してセンサ出力イメージをキャプチャ（ステップＳ２６０）することができる。ただし、前記段階（ステップＳ２２０、ステップＳ２４０、ステップＳ２６０）に対しては上述したので、それに関する重複する説明は省略する。
【００８１】
図３のシャッタラグ除去方法は、カメライメージセンサのキャプチャ準備モードでセンサ出力イメージがキャプチャされると、センサ出力イメージのキャプチャ完了時点から、既設定された時間だけ経過（ステップＳ２７０）した後に、センサ出力イメージを低解像度に変更してカメライメージセンサをプレビュモードに再進入（ステップＳ２８０）させることができる。一般的に、フォーカス動作に伴う遅延は、実質的にカメラモジュールで発生する最大遅延に該当する。
【００８２】
また、使用者はイメージキャプチャの実行において、一度に複数のイメージキャプチャを実行すること（例えば、カメラの連写機能など）が多い。従って、図３のシャッタラグ除去方法は、センサ出力イメージのキャプチャ完了時点以後にも、カメライメージセンサを既設定した時間だけ、キャプチャ準備モードとして動作させることによって、フォーカス動作が完了した被写体に対して継続的にイメージキャプチャが可能となる。その結果、図３のシャッタラグ除去方法は、カメラモジュールの動作モードがプレビュモードとキャプチャ準備モードとの間で切り替わる回数が必要以上に多くなることを防止することができる。
【００８３】
このように、図３のシャッタラグ除去方法は、センサ出力イメージをカメライメージセンサのプレビュモードで低解像度に維持し、キャプチャ準備信号に基づいてセンサ出力イメージを高解像度に変更し、カメライメージセンサのキャプチャ準備モードでセンサ出力イメージを高解像度に維持することによって、カメライメージセンサのプレビュモードで不必要な電力が消費されるのを防止するだけでなく、カメライメージセンサのキャプチャ準備モードでキャプチャ動作時に発生するシャッタラグを効率的に除去することができる。
【００８４】
図４は図３のシャッタラグ除去方法を説明するための図である。
図４を参照すれば、図３のシャッタラグ除去方法によってカメラモジュールの動作モードをプレビュモード２１、２３と、キャプチャ準備モード２２との間で切り替えることができる。カメライメージセンサのプレビュモード２１、２３では、センサ出力イメージを低解像度に維持し、カメライメージセンサのキャプチャ準備モード２２ではセンサ出力イメージを高解像度に維持することができる。従って、カメライメージセンサのプレビュモード２１、２３は、実質的に低解像度プレビュモードと命名することができ、カメライメージセンサのキャプチャ準備モード２２は、実質的に高解像度プレビュモードと命名することができる。
【００８５】
図４に示したように、図３のシャッタラグ除去方法は、カメライメージセンサのプレビュモード２１でキャプチャ準備信号ＰＳＥが入力されると、キャプチャ準備信号ＰＳＥに応答してセンサ出力イメージを高解像度に変更して、カメライメージセンサをイメージキャプチャを準備するためのキャプチャ準備モード２２に進入させることができる。この時、キャプチャ準備信号ＰＳＥは、オートフォーカススタート信号、外部入力信号（例えば、タッチ入力信号、ボタン入力信号、音声入力信号など）、スマイル検出信号、顔検出信号を含むことができる。
【００８６】
カメライメージセンサのキャプチャ準備モード２２で使用者がシャッタリリースボタンを押すことによって生成されるキャプチャ信号ＳＳが入力されると、図３のシャッタラグ除去方法は、このようなキャプチャ信号ＳＳに応答してセンサ出力イメージをキャプチャすることができる。この時、カメライメージセンサのキャプチャ準備モード２２では、センサ出力イメージが高解像度に既に変更されているので、センサ出力イメージを低解像度から高解像度に変更する一連の動作が要求されない。したがって、使用者がシャッタリリースボタンを押した時点と、イメージキャプチャが行われる時点との間の遅延であるシャッタラグが発生しなくなる。
【００８７】
さらに、図３のシャッタラグ除去方法は、カメライメージセンサのキャプチャ準備モード２２でセンサ出力イメージがキャプチャされると、センサ出力イメージのキャプチャ完了時点ＣＳから既設定された時間ＰＴだけ経過した後に、センサ出力イメージを低解像度に変更してカメライメージセンサをプレビュモード２３に再進入させることができる。即ち、図３のシャッタラグ除去方法は、センサ出力イメージのキャプチャ完了時点ＣＳ以後にも、カメライメージセンサを既設定された時間ＰＴだけキャプチャ準備モード２２で動作させることによって、追加的なイメージキャプチャＡＳＳを可能とする。
【００８８】
センサ出力イメージのキャプチャ完了時点ＣＳから既設定された時間ＰＴだけ経過した後に、カメラモジュールの動作モードがプレビュモード２３に転換されて、図３のシャッタラグ除去方法は、カメライメージセンサのプレビュモード２３で新しいイメージキャプチャのためのキャプチャ準備信号ＰＳＥが入力される時まで、センサ出力イメージを低解像度に維持させることができる。このように、図３のシャッタラグ除去方法は、カメライメージセンサのプレビュモード２１、２３で不必要な電力が消費されるのを防止するだけでなく、カメライメージセンサのキャプチャ準備モード２２でキャプチャ動作時に発生するシャッタラグを効率的に除去することができる。さらに、図３のシャッタラグ除去方法は、フォーカス動作が完了した被写体に対して継続的にイメージキャプチャを可能にすることによって、カメラモジュールの動作モードがプレビュモード２１、２３と、キャプチャ準備モード２２との間で切り替わる回数が不必要に多くなるのを防止することができる。
【００８９】
図５は本発明のまた他の実施形態に他のシャッタラグ除去方法を示すフローチャートである。
図５を参照すれば、図５のシャッタラグ除去方法は、カメライメージセンサのプレビュモードでセンサ出力イメージを低解像度に維持（ステップＳ３２０）し、キャプチャ準備信号に応答してセンサ出力イメージを高解像度に変更してカメライメージセンサをキャプチャ準備モードに進入（ステップＳ３４０）させることができる。ただし、前記段階（ステップＳ３２０,ステップＳ３４０）に対しては上述したので、それに関する重複する説明は省略する。
【００９０】
図５のシャッタラグ除去方法は、カメライメージセンサのキャプチャ準備モードでモード転換信号が入力（ステップＳ３６０）されると、センサ出力イメージを低解像度に変更してカメライメージセンサをプレビュモードに再進入（ステップＳ３８０）させることができる。例えば、使用者がカメラモジュールの動作モードをキャプチャ準備モードでプレビュモードに切り替えるために所定のボタンを押す場合に、カメラモジュールの動作モードを切り替えるためのモード転換信号が生成され、センサ出力イメージがこのようなモード転換信号に応答して低解像度に変更されることによって、カメライメージセンサがプレビュモードに再進入させることができる。
【００９１】
一般的に、キャプチャ準備信号に応答してセンサ出力イメージが高解像度に変更されてカメライメージセンサがキャプチャ準備モードに進入したとしても、使用者が意図的にカメラモジュールの動作モードをキャプチャ準備モードからプレビュモードに切り替える場合がある。従って、図５のシャッタラグ除去方法は、使用者が所定のボタンを押すことによって生成されるモード転換信号に応答してカメラモジュールの動作モードをキャプチャ準備モードからプレビュモードに切り替えるようにしたものである。
【００９２】
上述したように、図５のシャッタラグ除去方法は、センサ出力イメージをカメライメージセンサのプレビュモードで低解像度に維持し、キャプチャ準備信号に基づいてセンサ出力イメージを高解像度に変更し、カメライメージセンサのキャプチャ準備モードでセンサ出力イメージを高解像度に維持することによって、カメライメージセンサのプレビュモードでの不必要な電力の消費を防止するだけでなく、カメライメージセンサのキャプチャ準備モードでキャプチャ動作時に発生するシャッタラグを効率的に除去することができる。さらに、図５のシャッタラグ除去方法は、使用者が相対的に消費電力が大きなキャプチャ準備モードを任意に終了できるようにすることによって、カメラモジュールの消費電力を大幅に減少させることができる。
【００９３】
図６は図５のシャッタラグ除去方法を説明するための図である。
図６を参照すれば、図５のシャッタラグ除去方法によって、カメラモジュールの動作モードをプレビュモード３１、３３と、キャプチャ準備モード３２との間で切り替えることができる。カメライメージセンサのプレビュモード３１、３３では、センサ出力イメージを低解像度に維持し、カメライメージセンサのキャプチャ準備モード３２ではセンサ出力イメージを高解像度に維持することができる。従って、カメライメージセンサのプレビュモード３１、３３は、実質的に低解像度プレビュモードと命名することができ、カメライメージセンサのキャプチャ準備モード３２は、実質的に高解像度プレビュモードと命名することができる。
【００９４】
図６に示したように、図５のシャッタラグ除去方法は、カメライメージセンサのプレビュモード３１でキャプチャ準備信号ＰＳＥが入力されると、キャプチャ準備信号ＰＳＥに応答してセンサ出力イメージを高解像度に変更し、カメライメージセンサをイメージキャプチャを準備するためのキャプチャ準備モード３２に進入させることができる。この時、キャプチャ準備信号ＰＳＥは、オートフォーカススタート信号、外部入力信号（例えば、タッチ入力信号、ボタン入力信号、音声入力信号など）、スマイル検出信号、顔検出信号を含むことができる。
【００９５】
図５のシャッタラグ除去方法は、カメライメージセンサのキャプチャ準備モード３２でモード転換信号ＭＣＳが入力されると、センサ出力イメージを低解像度に変更してカメライメージセンサをプレビュモード３３に再進入させることができる。例えば、モード転換信号ＭＣＳは、使用者がカメラモジュールの動作モードをキャプチャ準備モード３２からプレビュモード３３に切り替えるために所定のボタンを押す場合に生成されるようにすることができる。このように、図５のシャッタラグ除去方法は、使用者が意図的にカメラモジュールの動作モードをキャプチャ準備モード３２からプレビュモード３３に切り替えできるようにする。
【００９６】
上述した通り、図５のシャッタラグ除去方法は、カメライメージセンサのプレビュモード３１、３３で不必要に電力が消費されるのを防止するだけでなく、カメライメージセンサのキャプチャ準備モード３２でキャプチャ動作時に発生するシャッタラグを効率的に除去することができる。さらに、図５のシャッタラグ除去方法は、使用者が相対的に消費電力が大きいキャプチャ準備モード３２を任意に終了できるようにすることによって、カメラモジュールの消費電力を大幅に減少させることができる。
【００９７】
図７は本発明のまた他の実施形態に係るシャッタラグ除去方法を示すフローチャートである。
図７を参照すれば、図７のシャッタラグ除去方法は、カメライメージセンサのプレビュモードでセンサ出力イメージを低解像度に維持（ステップＳ４２０）し、キャプチャ準備信号に応答してセンサ出力イメージを高解像度に変更してカメライメージセンサをキャプチャ準備モードに進入（ステップＳ４４０）させることができる。ただし、前記段階（ステップＳ４２０、ステップＳ４４０）に対しては上述したので、それに関する重複する説明は省略する。
【００９８】
図７のシャッタラグ除去方法は、カメライメージセンサのキャプチャ準備モードが既設定された時間だけ経過（ステップＳ４６０）すると、センサ出力イメージを低解像度に変更してカメライメージセンサをプレビュモードに再進入（ステップＳ４８０）させることができる。例えば、使用者がカメライメージセンサのキャプチャ準備モードで、既設定された時間内にシャッタリリースボタンを押さない場合、センサ出力イメージは低解像度に変更され、カメラモジュールの動作モードをプレビュモードに切り替えることができる。
【００９９】
即ち、カメラモジュールの動作モードをキャプチャ準備モードに転換された後、使用者が既設定された時間内にシャッタリリースボタンを押さない場合には、使用者がシャッタリリースボタンを押す意思がないと判断できるので、カメライメージセンサをプレビュモードに再進入させることによって不必要な消費電力を減らすことができる。この時、前記既設定された時間は、要求される条件に応じて使用者によって多様に設定することができる。
【０１００】
一実施形態において、前記既設定された時間は、キャプチャ準備信号が入力される時点から計算することができ、使用者によって所定の信号（例えば、半シャッタ信号）が入力される場合に、所定の信号が入力される時点から再び計算するようにすることもできる。上述した通り、図７のシャッタラグ除去方法は、センサ出力イメージをカメライメージセンサのプレビュモードで低解像度に維持し、キャプチャ準備信号に基づいてセンサ出力イメージを高解像度に変更し、カメライメージセンサのキャプチャ準備モードでセンサ出力イメージを高解像度に維持することによって、カメライメージセンサのプレビュモードで不必要な電力が消費されるのを防止できるだけでなく、カメライメージセンサのキャプチャ準備モードでキャプチャ動作時に発生するシャッタラグを効率的に除去することができる。さらに、図７のシャッタラグ除去方法は相対的に消費電力が大きいキャプチャ準備モードを既設定された時間内に制限することによって、カメラモジュールの消費電力を大幅に減少させることができる。
【０１０１】
図８は図７のシャッタラグ除去方法を説明するための図である。
図８を参照すれば、図７のシャッタラグ除去方法によってカメラモジュールの動作モードをプレビュモード４１、４３とキャプチャ準備モード４２との間で切り替えることができる。カメライメージセンサのプレビュモード４１、４３ではセンサ出力イメージが低解像度に維持し、カメライメージセンサのキャプチャ準備モード４２ではセンサ出力イメージを高解像度に維持することができる。従って、カメライメージセンサのプレビュモード４１、４３は、実質的に低解像度プレビュモードと命名することができ、カメライメージセンサのキャプチャ準備モード４２は実質的に高解像度プレビュモードと命名することができる。
【０１０２】
図８に示したように、図７のシャッタラグ除去方法は、カメライメージセンサのプレビュモード４１でキャプチャ準備信号ＰＳＥが入力されると、キャプチャ準備信号ＰＳＥに応答してセンサ出力イメージを高解像度に変更し、カメライメージセンサをイメージキャプチャを準備するためのキャプチャ準備モード４２に進入させることができる。この時、キャプチャ準備信号ＰＳＥは、オートフォーカススタート信号、外部入力信号（例えば、タッチ入力信号、ボタン入力信号、音声入力信号など）、スマイル検出信号、顔検出信号を含むことができる。
【０１０３】
図７のシャッタラグ除去方法は、カメライメージセンサのキャプチャ準備モード４２で既設定された時間ＰＣＴが経過すると、センサ出力イメージを低解像度に変更してカメライメージセンサをプレビュモード４３に再進入させることができる。例えば、使用者がカメライメージセンサのキャプチャ準備モード４２で既設定された時間ＰＣＴ内にシャッタリリースボタンを押さない場合に、センサ出力イメージを低解像度に変更し、カメラモジュールの動作モードをプレビュモード４３に切り替えることができる。
【０１０４】
一実施形態において、既設定された時間ＰＣＴはキャプチャ準備信号ＰＳＥが入力される時点から計算することができ、使用者によって所定の信号（例えば、半シャッタ信号）が入力される場合、所定の信号が入力される時点から再度計算することもできる。このように、図７のシャッタラグ除去方法は、カメラモジュールの動作モードがキャプチャ準備モード４２に切り替えられた後に、使用者が既設定された時間ＰＣＴ内にシャッタリリースボタンを押さない場合には、使用者がシャッタリリースボタンを押す意思がないと判断し、カメラモジュールの動作モードをキャプチャ準備モード４２からプレビュモード４３に切り替えることができる。
【０１０５】
上述した通り、図７のシャッタラグ除去方法は、カメライメージセンサのプレビュモード４１、４３で不必要な電力が消費されるのを防止するだけでなく、カメライメージセンサのキャプチャ準備モード４２でキャプチャ動作時に発生するシャッタラグを効率的に除去することができる。さらに、図７のシャッタラグ除去方法は、相対的に消費電力が大きいキャプチャ準備モード４２を既設定された時間ＰＣＴ内に制限することによって、カメラモジュールの消費電力を大幅に減少させることができる。
【０１０６】
図９は本発明の実施形態に係るシャッタラグ除去方法を示す概念図である。
図９を参照すれば、カメラモジュール内のカメライメージセンサはプレビュモード５０とキャプチャ準備モード６０で動作することができる。カメライメージセンサのプレビュモード５０は、イメージをリアルタイムで見るためのモードを意味し、カメライメージセンサのキャプチャ準備モード６０は、イメージキャプチャを準備するためのモードを意味する。ただし、カメライメージセンサのキャプチャ準備モード６０でも使用者がシャッタリリースボタンを押してイメージキャプチャが始まる前まではイメージをリアルタイムで見ることができる。
【０１０７】
しかし、カメライメージセンサのプレビュモード５０ではセンサ出力イメージが低解像度に維持される反面、カメライメージセンサのキャプチャ準備モード６０ではセンサ出力イメージが高解像度に維持される。即ち、カメライメージセンサのプレビュモード５０は、低解像度プレビュモードと命名することができ、カメライメージセンサのキャプチャ準備モード６０は高解像度プレビュモードと命名することができる。
【０１０８】
例えば、低解像度のセンサ出力イメージはＶＧＡ（６４０×４８０）サイズに選択することができ、高解像度のセンサ出力イメージはフルフレームサイズ、即ち、５Ｍ（２６０８×１９６０）、８Ｍ（３２６４×２４４８）などに選択することができる。このように、本発明の実施形態に係るシャッタラグ除去方法は、カメラモジュールの動作モードをプレビュモード５０とキャプチャ準備モード６０との間で切り替える動作を実行しなければならない。
【０１０９】
上述した通り、カメライメージセンサのプレビュモード５０とカメライメージセンサのキャプチャ準備モード６０とは、センサ出力イメージの解像度が互いに相違する。従来は、使用者がシャッタリリースボタンを押すことによって発生するキャプチャ信号に基づいてセンサ出力イメージを低解像度から高解像度に変更した。しかし、このような方式では使用者がシャッタリリースボタンを押した時点とイメージキャプチャが行われる時点との間の遅延であるシャッタラグが発生するから、ユーザの望む瞬間のイメージを正確に取ることはできない。
【０１１０】
このような問題点を解決するために、本発明の実施形態に係るシャッタラグ除去方法は、使用者がシャッタリリースボタンを押すことによって発生するキャプチャ信号とは関係なく、フォーカス動作と関連したキャプチャ準備信号に基づいて、カメラモジュールの動作モードをプレビュモード５０からキャプチャ準備モード６０に切り替えることができる。この時、キャプチャ準備信号はフォーカス動作を行うためのオートフォーカススタート信号、フォーカス動作を行うための外部入力信号（例えば、タッチ入力信号）、スマイル検出動作を行うためのスマイル検出信号、顔検出動作を行うための顔検出信号などを含むことができる。
【０１１１】
実施形態によって、キャプチャ準備信号は、指紋検出動作を行うための指紋検出信号、特定の物体検出動作を行うための物体検出信号などをさらに含むこともできる。このように、センサ出力イメージの解像度は、カメライメージセンサのプレビュモード５０でキャプチャ準備信号に基づいて低解像度から高解像度に変更（ＬＯＷ＿ＲＥＳ→ＨＩＧＨ＿ＲＥＳ）できる。その結果、カメライメージセンサのキャプチャ準備モード６０では、センサ出力イメージがすでに高解像度に変更されているので、使用者がシャッタリリースボタンを押した時点とイメージキャプチャが行われる時点との間の遅延であるシャッタラグは発生しない。
【０１１２】
一方、本発明の実施形態に係るシャッタラグ除去方法は、多様な方式でカメラモジュールの動作モードをキャプチャ準備モード６０からプレビュモード５０に切り替えることができる。即ち、センサ出力イメージの解像度は、カメライメージセンサのキャプチャ準備モード６０で多様な方式で高解像度から低解像度に変更（ＨＩＧＨ＿ＲＥＳ→ＬＯＷ＿ＲＥＳ）することができる。一実施形態において、カメライメージセンサのキャプチャ準備モード６０でセンサ出力イメージがキャプチャされると、センサ出力イメージのキャプチャ完了時点で、センサ出力イメージの解像度を高解像度から低解像度に変更することができる。
【０１１３】
他の実施形態において、カメライメージセンサのキャプチャ準備モード６０からセンサ出力イメージがキャプチャされると、センサ出力イメージのキャプチャ完了時点から既設定された時間だけ経過した後に、センサ出力イメージの解像度を高解像度から低解像度に変更することができる。また他の実施形態において、カメライメージセンサのキャプチャ準備モード６０でモード転換信号が入力されると、センサ出力イメージの解像度を高解像度から低解像度に変更することができる。
【０１１４】
また他の実施形態において、カメライメージセンサのキャプチャ準備モード６０が既設定された時間だけ経過すると、センサ出力イメージの解像度を高解像度から低解像度に変更することができる。
【０１１５】
このように、本発明の実施形態に係るシャッタラグ除去方法は、カメライメージセンサのプレビュモード５０で不必要な電力が消費されるのを防止できるだけでなく、カメライメージセンサのキャプチャ準備モード６０でキャプチャ動作時に発生するシャッタラグを効率的に除去することができる。さらに、本発明の実施形態に係るシャッタラグ除去方法は、相対的に消費電力が大きいキャプチャ準備モードを最小化することができる。
【０１１６】
図１０は本発明の実施形態に係るシャッタラグ除去方法を示すタイミング図である。
図１０を参照すれば、本発明の実施形態に係るシャッタラグ除去方法は、カメラモジュールの動作モードをプレビュモードとキャプチャ準備モードとの間で切り替えることができる。この時、第１モードチェンジ（ＭＯＤＥ  ＣＨＡＮＧＥ＿１）は、カメラモジュールの動作モードがプレビュモードからキャプチャ準備モードに切り替わることを示し、第２モードチェンジ（ＭＯＤＥ  ＣＨＡＮＧＥ＿２）は、カメラモジュールの動作モードがキャプチャ準備モードからプレビュモードに切り替わることを示す。
【０１１７】
図１０に示したように、カメライメージセンサのプレビュモードではセンサ出力イメージが低解像度に維持されるから、カメライメージセンサを駆動するためのクロック周波数も低く、前記プレビュモードを実行するための消費電力も小さい。反面、カメライメージセンサのキャプチャ準備モードではセンサ出力イメージが高解像度に維持されるので、カメライメージセンサを駆動するためのクロック周波数も高く、前記プレビュモードを実行するための消費電力も大きい。従って、カメライメージセンサの消費電力を減らすためには消費電力が大きいキャプチャ準備モードの区間を最小化させなければならない。
【０１１８】
このために、本発明の実施形態に係るシャッタラグ除去方法は、イメージキャプチャのために使用者がシャッタリリースボタンを押す以前に、カメラモジュールで必須的に生成されるキャプチャ準備信号を利用することができる。
具体的に、第１モードチェンジ（ＭＯＤＥ  ＣＨＡＮＧＥ＿１）は、カメライメージセンサのプレビュモードでキャプチャ準備信号が入力されると、前記キャプチャ準備信号に応答してセンサ出力イメージを高解像度に変更することによって行われる。即ち、カメラモジュールの動作モードがキャプチャ準備信号に基づいてプレビュモードからキャプチャ準備モードに切り替えることができる。
【０１１９】
一般的に、イメージキャプチャ時にフォーカス動作を必須的に行うように、キャプチャ準備信号をカメラモジュールのフォーカス動作と関連した信号とすることができる。例えば、キャプチャ準備信号は、フォーカス動作を行うためのオートフォーカススタート信号、フォーカス動作を行うための外部入力信号（例えば、タッチ入力信号）、スマイル検出動作を行うためのスマイル検出信号、顔検出動作を行うための顔検出信号を含むことができる。実施形態により、キャプチャ準備信号は指紋検出動作を行うための指紋検出信号、特定の物体検出動作を行うための物体検出信号などをさらに含むこともできる。
【０１２０】
このように、本発明の実施形態に係るシャッタラグ除去方法は、キャプチャ準備信号を利用してキャプチャ信号が入力される以前に第１モードチェンジ（ＭＯＤＥ  ＣＨＡＮＧＥ＿１）を実行する。その結果、カメライメージセンサのキャプチャ準備モードではセンサ出力イメージが高解像度に維持されているので、センサ出力イメージの解像度変更に伴うシャッタラグは発生しない。
【０１２１】
第２モードチェンジ（ＭＯＤＥ  ＣＨＡＮＧＥ＿２）は、要求される条件に応じて多様な方式で行なうことができる。即ち、第２モードチェンジ（ＭＯＤＥ  ＣＨＡＮＧＥ＿２）は、センサ出力イメージを低解像度に変更することによって行われる。一実施形態において、第２モードチェンジ（ＭＯＤＥ  ＣＨＡＧＥ＿２）は、カメライメージセンサのキャプチャ準備モードでセンサ出力イメージがキャプチャされると、センサ出力イメージのキャプチャ完了時点に行なうことができる。
【０１２２】
他の実施形態において、第２モードチェンジ（ＭＯＤＥ  ＣＨＡＧＥ＿２）は、カメライメージセンサのキャプチャ準備モードでセンサ出力イメージがキャプチャされると、センサ出力イメージのキャプチャ完了時点から既設定された時間だけ経過した後に行われるようにすることができる。また他の実施形態において、第２モードチェンジ（ＭＯＤＥ  ＣＨＡＧＥ＿２）は、カメライメージセンサのキャプチャ準備モードでモード転換信号が入力されると行われるようにすることができる。また他の実施形態において、第２モードチェンジ（ＭＯＤＥ  ＣＨＡＧＥ＿２）はカメライメージセンサのキャプチャ準備モードが既設定された時間だけ経過すると行われるようにすることができる。
【０１２３】
このように、本発明の実施形態に係るシャッタラグ除去方法は、カメライメージセンサのプレビュモードで不必要な電力が消費されるのを防止できるだけでなく、カメライメージセンサのキャプチャ準備モードでキャプチャ動作時に発生するシャッタラグを効率的に除去することができる。さらに、本発明の実施形態に係るシャッタラグ除去方法は、相対的に消費電力が大きいキャプチャ準備モードを最小化することができる。
一方、本発明の実施形態に係るシャッタラグ除去方法は、カメラモジュールを駆動するためのクロック周波数及びそれに係る消費電力を測定する方式で把握することができる。
【０１２４】
例えば、カメラモジュールは内部（例えば、モバイル機器のアプリケーションプロセッサとカメライメージセンサとの間）でモバイル・インダストリ・プロセッサ・インターフェース（Ｍｏｂｉｌｅ  Ｉｎｄｕｓｔｒｙ  Ｐｒｏｃｅｓｓｏｒ  Ｉｎｔｅｒｆａｃｅ；ＭＩＰＩ）、国際電気通信連合無線通信（Ｉｎｔｅｒｎａｔｉｏｎａｌ  Ｔｅｌｅｃｏｍｍｕｎｉｃａｔｉｏｎ  Ｕｎｉｏｎ−Ｒａｄｉｏ  ｃｏｍｍｕｎｉｃａｔｉｏｎ；ＩＴＵ−Ｒ）  ＢＴ．６０１,ＩＴＵ−Ｒ  ＢＴ．６５６、または、ＩＴＵ−Ｒ  ＢＴ．７０９に基づいて通信を実行することができるので、カメラモジュールの内部で使われるＭＩＰＩ、ＩＴＵ−Ｒ  ＢＴ．６０１、ＩＴＵ−Ｒ  ＢＴ．６５６、または、ＩＴＵ−Ｒ  ＢＴ.７０９のクロック周波数及びそれにともなう消費電力を測定する方式として、本発明の実施形態に係るシャッタラグ除去方法がカメラモジュール及びそれを具備する電子機器（例えば、モバイル機器）に適用されたかどうかを判断することができる。
【０１２５】
図１１は本発明の実施形態に係るカメラモジュールを示すブロック図である。
図１１を参照すれば、カメラモジュール１００は、イメージセンサ部１２０、イメージ信号処理部１４０、及びモード制御部１６０を含むことができる。実施形態により、カメラモジュール１００は、システムオンチップ（Ｓｙｓｔｅｍ  Ｏｎ  Ｃｈｉｐ；ＳＯＣ）で製造することができる。
【０１２６】
イメージセンサ部１２０は、被写体に相応する光信号ＬＩＧの入力を受けて光電変換を実行することによってセンサ出力イメージＳＯＩを生成することができる。このために、イメージセンサ部１２０は、少なくとも一つ以上のイメージセンサを含むことができ、少なくとも一つ以上のイメージセンサは、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）イメージセンサ、または、ＣＣＤ（Ｃｈａｒｇｅ  Ｃｏｕｐｌｅｄ  Ｄｅｖｉｃｅ）イメージセンサとすることができる。
【０１２７】
センサ出力イメージＳＯＩは、モード制御部１６０から出力される制御信号ＣＴＬ１に基づいてプレビュモードで低解像度を有することができ、キャプチャ準備モードで高解像度を有することができる。この時、センサ出力イメージＳＯＩを「低解像度」と「高解像度」とに区分したが、センサ出力イメージＳＯＩの解像度は、センサ出力イメージの画素（ｐｉｘｅｌ）、サイズ（ｓｉｚｅ）、容量（ｃａｐａｃｉｔｙ）、サンプリングレート（ｓａｍｐｌｉｎｇ  ｒａｔｅ）などを全て含む意味として理解すべきである。この時、低解像度は基準解像度と同一であるか、または、基準解像度より低い解像度であり、高解像度は基準解像度より高い解像度である。
【０１２８】
一方、センサ出力イメージＳＯＩの低解像度の大きさは、ディスプレイの出力サイズに相応し、ディスプレイの出力サイズが変更されると可変されるようにすることができる。例えば、低解像度のセンサ出力イメージＳＯＩは、ＶＧＡ（６４０×４８０）サイズに選択することができ、カメラモジュール１００を含むモバイル機器が外部ディスプレイに接続される場合、センサ出力イメージＳＯＩの低解像度の大きさは、外部ディスプレイの出力サイズに相応するように変更することができる。
【０１２９】
また、センサ出力イメージＳＯＩの高解像度の大きさは、既設定されたサイズに相応して、使用者によって可変することができる。例えば、高解像度のセンサ出力イメージＳＯＩは、フルフレームサイズ、即ち、５Ｍ（２６０８×１９６０）、８Ｍ（３２６４×２４４８）などに選択することができる。このように、イメージセンサ部１２０はイメージをリアルタイムで見るためのプレビュモードとイメージキャプチャを準備するためのキャプチャ準備モードに従がって互いに異なる解像度を有するセンサ出力イメージＳＯＩを提供することができる。
【０１３０】
実施形態により、イメージセンサ部１２０はカメラモジュール１００の動作モードが変更される場合、センサ出力イメージＳＯＩの連続性を保障するために、イメージ信号処理部１４０にインターラプト（ｉｎｔｅｒｒｕｐｔ）信号を出力することもできる。
イメージ信号処理部１４０は、イメージセンサ部１２０から出力されるセンサ出力イメージＳＯＩを処理してイメージデータＩＤＡを生成することができる。このために、イメージ信号処理部１４０は、少なくとも一つ以上のイメージ信号プロセッサ（ｉｍａｇｅ  ｓｉｇｎａｌ  ｐｒｏｃｅｓｓｏｒ；ＩＳＰ）を含むことができる。
【０１３１】
例えば、イメージ信号処理部１４０は、センサ出力イメージＳＯＩに対して自動露出（Ａｕｔｏ  Ｅｘｐｏｓｕｒｅ；ＡＥ）、自動ホワイトバランス（Ａｕｔｏ  Ｗｈｉｔｅ  Ｂａｌａｎｃｅ；ＡＷＢ）、オートフォーカス（Ａｕｔｏ  Ｆｏｃｕｓ；ＡＦ）などに対する処理を実行できる。さらに、イメージ信号処理部１４０は、スケーラ（ｓｃａｌｅｒ）、出力フォーマット（ｏｕｔｐｕｔ  ｆｏｒｍａｔ）、色補正（ｃｏｌｏｒ  ｃｏｒｒｅｃｔｉｏｎ）、ガンマ補正（ｇａｍｍａ  ｃｏｒｒｅｃｔｉｏｎ）、シェーディング補償（ｓｈａｄｉｎｇ  ｃｏｍｐｅｎｓａｔｉｏｎ）などに対する処理まで実行できる。
【０１３２】
具体的に、イメージ信号処理部１４０は、モード制御部１６０から出力される制御信号ＣＴＬ２に基づいて低解像度のセンサ出力イメージＳＯＩまたは、高解像度のセンサ出力イメージＳＯＩに対して処理を実行できる。例えば、イメージ信号処理部１４０は、プレビュモードでイメージセンサ部１２０から低解像度のセンサ出力イメージＳＯＩが入力されると、低解像度のセンサ出力イメージＳＯＩに対する所定の処理を実行することによって、プレビュモードに適合したイメージデータＩＤＡを出力することができる。反面、イメージ信号処理部１４０は、キャプチャ準備モードでイメージセンサ部１２０から高解像度のセンサ出力イメージＳＯＩが入力されると、高解像度のセンサ出力イメージＳＯＩに対する所定の処理を実行することによって、キャプチャ準備モードに適合したイメージデータＩＤＡを出力することができる。
【０１３３】
実施形態により、イメージセンサ部１２０とイメージ信号処理部１４０とは、モバイル・インダストリ・プロセッサ・インターフェース（Ｍｏｂｉｌｅ  Ｉｎｄｕｓｔｒｙ  Ｐｒｏｃｅｓｓｏｒ  Ｉｎｔｅｒｆａｃｅ；ＭＩＰＩ）及びインタ集積回路（Ｉｎｔｅｒ−Ｉｎｔｅｇｒａｔｅｄ  Ｃｉｒｃｕｉｔ；Ｉ２Ｃ）バスを介して接続することができる。ただし、これは一つの例示であって、これに限定されるものではない。
【０１３４】
モード制御部１６０はキャプチャ準備信号ＳＰＳに基づいてカメラモジュール１００の動作モードをプレビュモードからキャプチャ準備モードに切り替えることができる。具体的に、モード制御部１６０は、プレビュモードでキャプチャ準備信号ＳＰＳが入力されると、イメージセンサ部１２０に制御信号ＣＴＬ１を出力することによって、イメージセンサ部１２０から出力されるセンサ出力イメージＳＯＩを低解像度から高解像度に変更することができる。
【０１３５】
一般的に、カメラモジュール１００でイメージキャプチャ時にフォーカス動作は必須的に実行されるので、キャプチャ準備信号ＳＰＳはカメラモジュール１００のフォーカス動作と関連した信号とすることができる。一実施形態において、キャプチャ準備信号ＳＰＳは、フォーカス動作を行うためのオートフォーカススタート信号とすることができる。他の実施形態において、キャプチャ準備信号ＳＰＳは、フォーカス動作を行うための外部入力信号（例えば、タッチ入力信号など）とすることができる。
【０１３６】
また他の実施形態において、キャプチャ準備信号ＳＰＳは、スマイル検出動作を行うためのスマイル検出信号とすることができる。また他の実施形態において、キャプチャ準備信号ＳＰＳは、顔検出動作を行うための顔検出信号とすることができる。このように、モード制御部１６０は、使用者がシャッタリリースボタンを押す以前にカメラモジュール１００で必須的に生成されるキャプチャ準備信号ＳＰＳを利用するから、キャプチャ準備モードで使用者がシャッタリリースボタンを押す時点ではセンサ出力イメージＳＯＩが高解像度に維持されるようにできる。その結果、キャプチャ準備モードではセンサ出力イメージＳＯＩが高解像度に維持されるから、使用者がシャッタリリースボタンを押した時点とイメージキャプチャが行われる時点との間の遅延であるシャッタラグは発生しなくなる。
【０１３７】
さらに、モード制御部１６０は要求される条件に応じて多様な方式でカメラモジュール１００の動作モードをキャプチャ準備モードからプレビュモードに切り替えることができる。上述した通り、プレビュモードではイメージセンサ部１２０が低解像度のセンサ出力イメージＳＯＩを出力して、キャプチャ準備モードではイメージセンサ部１２０が高解像度のセンサ出力イメージＳＯＩを出力する。従って、モード制御部１２０は、特定条件下でカメラモジュール１００の動作モードをキャプチャ準備モードからプレビュモードに切り替えることが必要なこともある。
【０１３８】
一実施形態において、モード制御部１６０はキャプチャ準備モードでセンサ出力イメージＳＯＩがキャプチャされると、キャプチャ完了時点にカメラモジュール１００の動作モードをキャプチャ準備モードからプレビュモードに切り替えることができる。他の実施形態において、モード制御部１６０は、キャプチャ準備モードでセンサ出力イメージＳＯＩがキャプチャされると、キャプチャ完了時点から既設定された時間だけ経過した後にカメラモジュール１００の動作モードをキャプチャ準備モードでプレビュモードに切り替えることができる。
【０１３９】
また他の実施形態において、モード制御部１６０はキャプチャ準備モードでモード転換信号が入力されると、それに基づいてカメラモジュール１００の動作モードをキャプチャ準備モードでプレビュモードに切り替えることができる。また他の実施形態において、モード制御部１６０はキャプチャ準備モードが既設定された時間だけ経過すると、カメラモジュール１００の動作モードをキャプチャ準備モードでプレビュモードに切り替えることができる。その結果、モード制御部１６０は相対的に消費電力が大きいキャプチャ準備モードを特定条件下でプレビュモードに切り替えることによってカメラモジュール１００の消費電力を大幅に減少させることができる。
【０１４０】
このように、モード制御部１６０はイメージセンサ部１２０及びイメージ信号処理部１４０に制御信号ＣＴＬ１、ＣＴＬ２を出力し、イメージセンサ部１２０及びイメージ信号処理部１４０を制御することができる。これに、イメージセンサ部１２０はプレビュモードで低解像度のセンサ出力イメージＳＯＩを出力して、キャプチャ準備モードで高解像度のセンサ出力イメージＳＯＩを出力することができる。
【０１４１】
また、イメージ信号処理部１４０はプレビュモードで低解像度のセンサ出力イメージＳＯＩを処理して外部（即ち、ディスプレイ）に出力し、キャプチャ準備モードで高解像度のセンサ出力イメージＳＯＩを処理して外部に出力することができる。その結果、カメラモジュール１００はプレビュモードで不必要な電力が消費されるのを防止できるだけでなく、キャプチャ準備モードでキャプチャ動作時に発生するシャッタラグを効率的に除去することができる。さらに、カメラモジュール１００は、相対的に消費電力が大きいキャプチャ準備モードを最小化することができる。
【０１４２】
一方、イメージ信号処理部１４０、及び／または、モード制御部１６０はアプリケーションプロセッサ内に具現する事もでき、アプリケーションプロセッサとは別途に具現することもできる。一般的に、モバイル機器ではイメージ信号処理部１４０、及び／または、モード制御部１６０をアプリケーションプロセッサ内に備えることができる。この場合、モード制御部１６０は、リアルタイム運営システム（Ｒｅａｌ−Ｔｉｍｅ  Ｏｐｅｒａｔｉｏｎ  Ｓｙｓｔｅｍ；ＲＴＯＳ）を含むことができ、イメージ信号処理部１４０は、リアルタイム運営システム（Ｒｅａｌ−Ｔｉｍｅ  Ｏｐｅｒａｔｉｏｎ  Ｓｙｓｔｅｍ；ＲＴＯＳ）により制御されるようにすることができる。
【０１４３】
図１２は図１１のカメラモジュールに備わるイメージセンサ部の一例を示すブロック図である。
図１２を参照すれば、イメージセンサ部１２０は、受光レンズ１２１、カメライメージセンサ１２２、モータ１２３、及びセンサコントローラ１２４を含むことができる。
受光レンズ１２１は、カメライメージセンサ１２２の受光領域（例えば、単位ピクセルアレイに備わった複数の単位ピクセル）に入射光、即ち、被写体に相応する光信号ＬＩＧを集光させることができる。カメライメージセンサ１２２は、受光レンズ１２１を介して入射された光信号ＬＩＧに基づいて被写体に対する情報を含むデータＤＡＴＡを生成することができる。
【０１４４】
実施形態により、カメライメージセンサ１２２は、ＣＭＯＳイメージセンサ、または、ＣＣＤイメージセンサとすることができる。カメライメージセンサ１２２は、クロック信号ＣＬＫに基づいて前記データＤＡＴＡをセンサコントローラ１２４に提供することができる。モータ１２３は、センサコントローラ１２４から提供される制御信号ＣＴＲＬに基づいて、受光レンズ１２１のフォーカスを調節したり、または、シャッタリング（ｓｈｕｔｔｅｒｉｎｇ）を実行する。センサコントローラ１２４は、カメライメージセンサ１２２及びモータ１２３を制御し、カメライメージセンサ１２２から受信されるデータＤＡＴＡを処理してセンサ出力イメージＳＯＩとして出力することができる。
【０１４５】
一方、センサコントローラ１２４は、イメージ信号処理部１４０のイメージ信号プロセッサＩＳＰなどに接続されて、センサ出力イメージＳＯＩを提供することができる。実施形態により、センサコントローラ１２４は、ＭＩＰＩ及びＩ２Ｃバスを介してイメージ信号処理部１４０のイメージ信号プロセッサＩＳＰに接続することができる。ただし、これは一つの例示であって、これに限定されるものではない。
【０１４６】
このように、イメージセンサ部１２０は被写体に相応する光信号ＬＩＧの入力を受けて光電変換を実行することによってセンサ出力イメージＳＯＩを生成することができる。この時、センサ出力イメージＳＯＩは、プレビュモードで低解像度を有するようにすることができ、キャプチャ準備モードで高解像度を有するようにすることができる。センサ出力イメージＳＯＩの低解像度の大きさは、ディスプレイの出力サイズに相応し、ディスプレイの出力サイズが変更されることによって可変することができる。センサ出力イメージＳＯＩの高解像度の大きさは、既設定されたサイズに相応し、使用者によって可変することができる。
【０１４７】
上述した通り、カメラモジュール１００の動作モードは、キャプチャ準備信号ＳＰＳに基づいてプレビュモードからキャプチャ準備モードに切り替えることができる。その結果、イメージセンサ部１２０はキャプチャ準備モードで使用者がシャッタリリースボタンを押す時点で高解像度のセンサ出力イメージＳＯＩを出力することができる。また、カメラモジュール１００の動作モードは、要求条件に応じて多様な方式でキャプチャ準備モードからプレビュモードに切り替えることができる。その結果、イメージセンサ部１２０が高解像度のセンサ出力イメージＳＯＩを出力する（即ち、相対的に消費電力が大きい）キャプチャ準備モードが最小化されるから、カメラモジュール１００の消費電力を大幅に減少させることができる。
【０１４８】
図１３は図１１のカメラモジュールに備わるイメージ信号処理部の一例を示すブロック図である。
図１３を参照すれば、イメージ信号処理部１４０は、イメージ信号プロセッサ１４２、メモリ１４４、後処理プロセッサ（ｐｏｓｔ−ｐｒｏｃｅｓｓｏｒ）１４６、及びディスプレイコントローラ１４８を含むことができる。
【０１４９】
イメージ信号プロセッサ１４２は、イメージセンサ部１２０から出力されるセンサ出力イメージＳＯＩの入力を受け、前記センサ出力イメージＳＯＩを処理（ｐｒｏｃｅｓｓｉｎｇ）して第１イメージデータＩＤ＿１を生成することができる。実質的に、イメージセンサ部１２０から出力されるセンサ出力イメージＳＯＩは、使用者が認識することのできない信号である。ここで、イメージ信号プロセッサ１４２はイメージセンサ部１２０から出力されるセンサ出力イメージＳＯＩを処理して使用者がディスプレイを介して認識できる信号に変換することができる。
【０１５０】
例えば、イメージ信号プロセッサ１４２は、イメージセンサ部１２０から出力されるセンサ出力イメージＳＯＩに対して、カラー形態、画像の大きさ、フレーム速度などを調節することによって第１イメージデータＩＤ＿１に変換することができる。一方、図１３ではイメージ信号プロセッサ１４２が前処理プロセッサ（ｐｒｅ−ｐｒｏｃｅｓｓｏｒ）の機能まで実行するように図示されている。しかし、前処理プロセッサ（図示せず）はイメージ信号プロセッサ１４２とは別途に備えることもできる。このような場合、前処理プロセッサは第１イメージデータＩＤ＿１を後処理プロセッサ１４６に適合した信号に変換する機能を実行することができる。
【０１５１】
メモリ１４４はイメージ信号プロセッサ１４２から出力されるセンサ出力イメージＳＯＩを臨時に保存した後、後処理プロセッサ１４６に出力することができる。例えば、メモリ１４４は、ダイナミックランダムアクセスメモリ（Ｄｙｎａｍｉｃ  Ｒａｎｄｏｍ  Ａｃｃｅｓｓ  Ｍｅｍｏｒｙ；ＤＲＡＭ）、スタティックランダムアクセスメモリ（Ｓｔａｔｉｃ  Ｒａｎｄｏｍ  Ａｃｃｅｓｓ  Ｍｅｍｏｒｙ；ＳＲＡＭ）などのような揮発性メモリ装置及びＥＰＲＯＭ（Ｅｒａｓａｂｌｅ  Ｐｒｏｇｒａｍｍａｂｌｅ  Ｒｅａｄ−Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）及びフラッシュメモリ装置（ｆｌａｓｈ  ｍｅｍｏｒｙ  ｄｅｖｉｃｅ）などのような不揮発性メモリ装置を含むことができる。
【０１５２】
メモリ１４４は、一種のバッファ機能を実行し、要求条件に応じて省略することができる。後処理プロセッサ１４６は、イメージ信号プロセッサ１４２から出力される第１イメージデータＩＤ＿１を後処理（ｐｏｓｔ  ｐｒｏｃｅｓｓｉｎｇ）して第２イメージデータＩＤ＿２を生成することができる。即ち、後処理プロセッサ１４６は、イメージ信号プロセッサ１４２、または、前処理プロセッサ（図示せず）から入力される第１イメージデータＩＤ＿１をディスプレイコントローラ１４８によってディスプレイに表示されることのできる第２イメージデータＩＤ＿２に変更することができる。以後、ディスプレイコントローラ１４８は第２イメージデータＩＤ＿２をイメージデータＩＤＡとしてディスプレイに表示することができる。
【０１５３】
このように、イメージ信号処理部１４０は、イメージセンサ部１２０から出力されるセンサ出力イメージＳＯＩを処理してイメージデータＩＤＡを出力することができる。実施形態により、イメージデータＩＤＡはＪＰＥＧ、ＴＩＦ、ＧＩＦ、ＰＣＸなどの多様なコーデック（ｃｏｄｅｃ）で出力することができる。例えば、イメージデータＩＤＡのコーデックで高い圧縮効率を有するグラフィック・ファイル・フォーマットのＪＰＥＧ（Ｊｏｉｎｔ  Ｐｈｏｔｏｇｒａｐｈｉｃ  Ｅｘｐｅｒｔｓ  Ｇｒｏｕｐ）を主に使用することができる。
【０１５４】
一方、イメージ信号処理部１４０はアプリケーションプロセッサ内に具現する事もでき、アプリケーションプロセッサとは別途に具現することもできる。例えば、イメージ信号処理部１４０をアプリケーションプロセッサ内に具現した場合にはモード制御部１６０との通信において遅延が発生しないことがある。これに、モード制御部１６０がリアルタイム運営システムＲＴＯＳを含む場合、イメージ信号処理部１４０は、リアルタイム運営システムＲＴＯＳによって制御されるようにすることができる。
【０１５５】
上述した通り、イメージ信号処理部１４０はモード制御部１６０から出力される制御信号ＣＴＬ２に基づいて、プレビュモードで低解像度のセンサ出力イメージＳＯＩを処理し、キャプチャ準備モードでは高解像度のセンサ出力イメージＳＯＩを処理することができる。その結果、カメラモジュール１００はプレビュモードでの不必要な消費電力を減少させることができる。
【０１５６】
図１４は図１１のカメラモジュールに備わるモード制御部の一例を示すブロック図である。
図１４を参照すれば、モード制御部１６０は入力ブロック１６２、制御ブロック１６４、及び出力ブロック１６６を含むことができる。
入力ブロック１６２は、キャプチャ準備信号ＳＰＳの入力を受けて制御ブロック１６４に伝送することができる。この時、キャプチャ準備信号ＳＰＳはフォーカス動作を行うためのオートフォーカススタート信号、フォーカス動作を行うための外部入力信号（例えば、タッチ入力信号など）、スマイル検出動作を行うためのスマイル検出信号、顔検出動作を行うための顔検出信号とすることができる。
【０１５７】
さらに、入力ブロック１６２は、キャプチャ準備信号ＳＰＳに基づいてオートフォーカススタート信号、外部入力信号、スマイル検出信号、顔検出信号に相応する内部信号ＩＳ＿１を制御ブロック１６４に提供することができる。制御ブロック１６４は、入力ブロック１６２から出力される内部信号ＩＳ＿１に基づいて、イメージセンサ部１２０及びイメージ信号処理部１４０を制御するための内部信号ＩＳ＿２を生成し、前記内部信号ＩＳ＿２を出力ブロック１６６に提供することができる。
【０１５８】
この時、内部信号ＩＳ＿２は、イメージセンサ部１２０及びイメージ信号処理部１６０を制御するための制御信号ＣＴＬ１、ＣＴＬ２に相応させることができる。以後、出力ブロック１６６は、制御ブロック１６４から出力される内部信号ＩＳ＿２に基づいて、イメージセンサ部１２０及びイメージ信号処理部１４０に前記制御信号ＣＴＬ１、ＣＴＬ２を各々提供することができる。
【０１５９】
モード制御部１６０はキャプチャ準備信号ＳＰＳに基づいてカメラモジュール１００の動作モードをプレビュモードからキャプチャ準備モードに切り替えることができる。さらに、モード制御部１６０は、特定条件下でカメラモジュール１００の動作モードをキャプチャ準備モードからプレビュモードに切り替えることもできる。上述した通り、モード制御部１６０はプレビュモードでイメージセンサ部１２０が低解像度のセンサ出力イメージＳＯＩを出力するようにし、イメージ信号処理部１４０が低解像度のセンサ出力イメージＳＯＩを処理するようにできる。
【０１６０】
反面、モード制御部１６０はキャプチャ準備モードでイメージセンサ部１２０が高解像度のセンサ出力イメージＳＯＩを出力するようにし、イメージ信号処理部１４０が高解像度のセンサ出力イメージＳＯＩを処理するようにできる。その結果、カメラモジュール１００はプレビュモードで不必要な電力を消費しないようにすることができ、キャプチャ準備モードでキャプチャ動作時に発生するシャッタラグを効率的に除去することができる。さらに、カメラモジュール１００は相対的に消費電力が大きいキャプチャ準備モードを最小化することができる。
【０１６１】
図１５は図１１のカメラモジュールがモバイル機器に適用されること例を示すブロック図である。
図１５を参照すれば、カメラモジュール２００は、イメージセンサ部２２０、イメージ信号処理部２４０、及びモード制御部２６０を含むことができる。この時、モード制御部２６０は、アプリケーションプロセッサ２７０内に備えることができる。実施形態により、カメラモジュール２００はシステムオンチップＳＯＣで製造されるようにすることができる。
【０１６２】
イメージセンサ部２２０は、被写体に相応する光信号ＬＩＧの入力を受けて光電変換を実行することによって、センサ出力イメージＳＯＩを生成することができ、イメージ信号処理部２４０はイメージセンサ部２２０から出力されるセンサ出力イメージＳＯＩを処理してイメージデータＩＤＡを出力することができ、モード制御部２６０はキャプチャ準備信号ＳＰＳに基づいてカメラモジュール２００の動作モードをプレビュモードからキャプチャ準備モードに切り替えることができる。ただし、イメージセンサ部２２０、イメージ信号処理部２４０、及びモード制御部２６０に対しては上述したので、それに関する重複する説明は省略する。
【０１６３】
図１５に示したように、モード制御部２６０はアプリケーションプロセッサ２７０内に備えることができる。一般的に、モバイル機器（例えば、スマートフォン、スマートパッド、ＰＤＡ、ポータブルゲーム機）は主にバッテリ（ｂａｔｔｅｒｙ）に基づいて動作するので、低電力化及び小型化される傾向であり、このためにモバイル機器の多様な機能を実行するためのアプリケーションプロセッサ２７０を具備することができる。
【０１６４】
即ち、モバイル機器のアプリケーションプロセッサ２７０は、ＣＰＵ（Ｃｅｎｔｒａｌ  Ｐｒｏｃｅｓｓｉｎｇ  Ｕｎｉｔ）に相応させることができる。従って、アプリケーションプロセッサ２７０内にはキャプチャ準備信号ＳＰＳに基づいてカメラモジュール２００の動作モードをプレビュモードからキャプチャ準備モードに切り替えることのできるモード制御部２６０を備えることができる。この場合、アプリケーションプロセッサ２７０とモード制御部２６０との間の通信によって発生する遅延は最小化できる。
【０１６５】
このように、モード制御部２６０を具備するアプリケーションプロセッサ２７０は、プレビュモードでキャプチャ準備信号ＳＰＳが入力されると、イメージセンサ部２２０に制御信号ＣＴＬ１を出力することによってカメラモジュール２００の動作モードをキャプチャ準備モードに切り替えることができる。これにより、イメージセンサ部２２０はプレビュモードで低解像度のセンサ出力イメージＳＯＩを出力し、キャプチャ準備信号ＳＰＳが入力された時点（即ち、キャプチャ準備モードの開始点）から高解像度のセンサ出力イメージＳＯＩを出力することができる。
【０１６６】
その結果、使用者がシャッタリリースボタンを押した時点とイメージキャプチャが行われる時点との間の遅延であるシャッタラグが発生しないように出来る。さらに、モード制御部２６０を具備するアプリケーションプロセッサ２７０は、キャプチャ準備モードで特定条件（例えば、キャプチャ準備モードでセンサ出力イメージがキャプチャされるか、キャプチャ準備モードが既設定された時間だけ経過するか、または、キャプチャ準備モードでモード転換信号が入力される場合）下に置かれる場合、イメージセンサ部２２０に制御信号ＣＴＬ１を出力することによってカメラモジュール２００の動作モードをプレビュモードに切り替えることができる。
【０１６７】
その結果、イメージセンサ部２２０が高解像度のセンサ出力イメージＳＯＩを出力するキャプチャ準備モードが最小化されるからカメラモジュール２００の消費電力は大幅に減少することができる。実施形態により、モード制御部２６０はリアルタイム運営システムＲＴＯＳを含むことができ、イメージ信号処理部２４０はリアルタイム運営システムＲＴＯＳにより制御することができる。
【０１６８】
図１６は図１１のカメラモジュールがモバイル機器に適用される他の例を示すブロック図である。
図１６を参照すれば、カメラモジュール３００は、イメージセンサ部３２０、イメージ信号処理部３４０、及びモード制御部３６０を含むことができる。この時、イメージ信号処理部３４０及びモード制御部３６０はアプリケーションプロセッサ３７０内に備えることができる。実施形態により、カメラモジュール３００はシステムオンチップＳＯＣで製造されるようにすることができる。
【０１６９】
イメージセンサ部３２０は、被写体に相応する光信号ＬＩＧの入力を受けて光電変換を実行することによってセンサ出力イメージＳＯＩを生成することができ、イメージ信号処理部３４０はイメージセンサ部３２０から出力されるセンサ出力イメージＳＯＩを処理してイメージデータＩＤＡを出力することができ、モード制御部３６０は、キャプチャ準備信号ＳＰＳに基づいてカメラモジュール３００の動作モードをプレビュモードからキャプチャ準備モードに切り替えることができる。ただし、イメージセンサ部３２０、イメージ信号処理部３４０及びモード制御部３６０に対しては上述したので、それに関する重複する説明は省略する。
【０１７０】
図１６に示したように、イメージ信号処理部３４０及びモード制御部３６０は、アプリケーションプロセッサ３７０内に備えることができる。即ち、アプリケーションプロセッサ３７０内にはキャプチャ準備信号ＳＰＳに基づいてカメラモジュール３００の動作モードをプレビュモードからキャプチャ準備モードに切り替えることのできるモード制御部３６０とイメージセンサ部３２０から出力されるセンサ出力イメージＳＯＩを処理してイメージデータＩＤＡを出力するイメージ信号処理部３４０とを備えることができる。この場合、アプリケーションプロセッサ３７０とイメージ信号処理部３４０及びモード制御部３６０との間の通信によって発生する遅延は最小化できる。
【０１７１】
図１７は図１１のカメラモジュールがモバイル機器に適用されるまた他の例を示すブロック図である。
図１７を参照すれば、カメラモジュール４００は、イメージセンサ部４２０、イメージ信号処理部４４０、及びモード制御部４６０を含むことができる。この時、モード制御部４６０は、アプリケーションプロセッサ４７０に接続される別途のプロセッサとすることができる。実施形態により、カメラモジュール４００は、システムオンチップＳＯＣで製造されるようにすることができる。
【０１７２】
イメージセンサ部４２０は被写体に相応する光信号ＬＩＧの入力を受けて光電変換を実行することによってセンサ出力イメージＳＯＩを生成することができ、イメージ信号処理部４４０はイメージセンサ部４２０から出力されるセンサ出力イメージＳＯＩを処理してイメージデータＩＤＡを出力することができ、モード制御部４６０はキャプチャ準備信号ＳＰＳに基づいてカメラモジュール４００の動作モードをプレビュモードからキャプチャ準備モードに切り替えることができる。ただし、イメージセンサ部４２０、イメージ信号処理部４４０、及びモード制御部４６０に対しては上述したので、それに関する重複する説明は省略する。
【０１７３】
図１７に示したように、モード制御部４６０はアプリケーションプロセッサ４７０に接続される別途のプロセッサとすることができる。即ち、モード制御部４６０はアプリケーションプロセッサ４７０と接続され、アプリケーションプロセッサ４７０から出力されるキャプチャ準備信号ＳＰＳに基づいてカメラモジュール４００の動作モードをプレビュモードからキャプチャ準備モードに切り替えることができる。一般的に、モバイル機器でアプリケーションプロセッサ４７０はマルチタスキング（ｍｕｌｔｉ−ｔａｓｋｉｎｇ）を実行するが、アプリケーションプロセッサ４７０に過負荷がかかる場合、モバイル機器に備わるカメラモジュール４００は誤作動する場合がある。そこで、モード制御部４６０をアプリケーションプロセッサ４７０と別途に具現することによって、モバイル機器に備わったカメラモジュール４００の動作安定性を確保できる。
【０１７４】
図１８は図１１のカメラモジュールがモバイル機器に適用されるまた他の例を示すブロック図である。
図１８を参照すれば、カメラモジュール５００はイメージセンサ部５２０、イメージ信号処理部５４０及びモード制御部５６０を含むことができる。この時、モード制御部５６０はアプリケーションプロセッサ５７０に接続される別途のプロセッサとすることができ、イメージ信号処理部５４０はアプリケーションプロセッサ５７０内に備えることができる。実施形態により、カメラモジュール５００はシステムオンチップＳＯＣで製造されるようにすることができる。
【０１７５】
イメージセンサ部５２０は被写体に相応する光信号ＬＩＧの入力を受けて光電変換を実行することによってセンサ出力イメージＳＯＩを生成することができ、イメージ信号処理部５４０はイメージセンサ部５２０から出力されるセンサ出力イメージＳＯＩを処理してイメージデータＩＤＡを出力することができ、モード制御部５６０はキャプチャ準備信号ＳＰＳに基づいてカメラモジュール５００の動作モードをプレビュモードからキャプチャ準備モードに切り替えることができる。ただし、イメージセンサ部５２０、イメージ信号処理部５４０、及びモード制御部５６０に対しては上述したので、それに関する重複する説明は省略する。
【０１７６】
図１８に示したように、アプリケーションプロセッサ５７０内にはイメージセンサ部５２０から出力されるセンサ出力イメージＳＯＩを処理してイメージデータＩＤＡを出力するイメージ信号処理部５４０が具現されるが、モード制御部５６０はアプリケーションプロセッサ５７０に接続される別途のプロセッサとすることができる。その結果、アプリケーションプロセッサ５７０とイメージ信号処理部５４０との間の通信によって発生する遅延を最小化でき、モード制御部５６０がアプリケーションプロセッサ５７０と別途で具現されるのでモバイル機器に備わったカメラモジュール５００の動作安定性が確保できる。
【０１７７】
図１９は本発明の実施形態に係るカメラモジュールを具備するモバイル機器を示すブロック図である。
図１９を参照すれば、モバイル機器６００はカメライメージセンサ６２０、アプリケーションプロセッサ６４０及びイメージを表示する少なくとも一つ以上のディスプレイ６６０を含むことができる。実施形態により、モバイル機器６００はモバイル機器６００の他の機能（ｆｕｎｃｔｉｏｎ）を実行するための複数の機能回路６８０をさらに含むことができる。
【０１７８】
モバイルコンバージェンスの進展に伴い、モバイル機器６００は多様な機能を実行できる。図１９に示したように、モバイル機器６００は、カメラ機能を実行するためのカメラモジュールを含むことができる。この時、カメラモジュールでカメライメージセンサ６２０を除いた他の構成要素はモバイル機器６００のアプリケーションプロセッサ６４０内に実装することができる。
【０１７９】
一実施形態において、アプリケーションプロセッサ６４０は、モードコントローラ、イメージ信号プロセッサ、後処理プロセッサ、及びディスプレイコントローラを含むことができる。モードコントローラは、カメライメージセンサ６２０から出力されるセンサ出力イメージをプレビュモードで低解像度に維持し、キャプチャ準備信号に基づいてセンサ出力イメージを高解像度に変更し、キャプチャ準備モードでセンサ出力イメージを高解像度に維持することができる。イメージ信号プロセッサは、センサ出力イメージを処理して第１イメージデータを生成することができる。
【０１８０】
後処理プロセッサは第１イメージデータを後処理して第２イメージデータを生成することができる。ディスプレイコントローラは、前記イメージを生成するための第２イメージデータ（即ち、イメージデータ）を少なくとも一つ以上のディスプレイに出力することができる。ここで、アプリケーションプロセッサ６４０のモードコントローラは、図１１のモード制御部１６０に相応して、アプリケーションプロセッサ６４０のイメージ信号プロセッサ、後処理プロセッサ及びディスプレイコントローラは図１１のイメージ信号処理部１４０に相応する。
【０１８１】
このように、モバイル機器の低電力化及び小型化傾向によりモバイル機器６００は多様な機能を実行するためのアプリケーションプロセッサ６４０を具備することができ、アプリケーションプロセッサ６４０内にはキャプチャ準備信号に基づいてカメラモジュールの動作モードをプレビュモードからキャプチャ準備モードに切り替えることのできるモードコントローラ及びカメライメージセンサ６２０から出力されるセンサ出力イメージを処理してイメージデータを出力するイメージ信号プロセッサ、後処理プロセッサ、及びディスプレイコントローラを実装することができる。従って、アプリケーションプロセッサ６４０とモードコントローラ、イメージ信号プロセッサ、後処理プロセッサ及びディスプレイコントローラの間の通信によって発生する遅延を最小化できる。
【０１８２】
一方、アプリケーションプロセッサ６４０はモバイル機器６００の他の機能を実行するための複数の機能回路６８０と接続され、複数の機能回路６８０を制御することができる。上述した通り、モバイル機器６００はカメラモジュールの駆動において、プレビュモードでセンサ出力イメージを低解像度に維持し、キャプチャ準備信号に基づいてセンサ出力イメージを高解像度に変更し、キャプチャ準備モードでセンサ出力イメージを高解像度に維持することができる。その結果、モバイル機器６００はプレビュモードで不必要な電力が消費されるのを防止できるだけでなく、キャプチャ準備モードでキャプチャ動作時に発生するシャッタラグを効率的に除去することができる。さらに、モバイル機器６００は相対的に消費電力が大きいキャプチャ準備モードを最小化することができる。
【０１８３】
図２０は図１９のモバイル機器が外部ディスプレイに接続される一例を示す図である。
図２０を参照すれば、モバイル機器６００は少なくとも一つ以上の内部ディスプレイ６６０を含み、少なくとも一つ以上の外部ディスプレイ（６９０＿１，・・・，６９０＿ｎ）に接続されるようにすることができる。この時、少なくとも一つ以上の外部ディスプレイ（６９０＿１，・・・，６９０＿ｎ）は、少なくとも一つ以上の外部装置（６８０＿１，・・・，６８０＿ｎ）それぞれの内部ディスプレイに該当するようにすることができる。
【０１８４】
例えば、モバイル機器６００がスマートフォンの場合に内部ディスプレイ６６０は、スマートフォンのＬＣＤ（Ｌｉqｕｉｄ  Ｃｒｙｓｔａｌ  Ｄｉｓｐｌａｙ；ＬＣＤ）ディスプレイまたはＡＭＯＬＥＤ（Ａｃｔｉｖｅ  Ｍａｔｒｉｘ  Ｏｒｇａｎｉｃ  Ｌｉｇｈｔ  Ｅｍｉｔｔｉｎｇ  Ｄｉｏｄｅｓ）ディスプレイに相応し、外部装置（６８０＿１，・・・，６８０＿ｎ）は前記スマートフォンと有線または無線で接続できるノートブック（ｌａｐｔｏｐ）、テレビ（ｔｅｌｅｖｉｓｉｏｎ）、モニタ（ｍｏｎｉｔｏｒ）、プロジェクタ（ｐｒｏｊｅｃｔｏｒ）などに相応することができる。
【０１８５】
従って、モバイル機器６００がカメラ機能を実行する時、内部ディスプレイ６６０に被写体が表示されると同時に、モバイル機器６００と接続された外部ディスプレイ（６９０＿１，・・・，６９０＿ｎ）にも被写体を表示することができる。このために、モバイル機器６００は外部装置（６８０＿１，・・・，６８０＿ｎ）にイメージデータＩＤＡを同時に提供することができる。これと共に、モバイル機器６００は外部装置（６８０＿１，・・・，６８０＿ｎ）とイメージデータを共有することができるので、モバイル機器６００を有している使用者と外部装置（６８０＿１，・・・，６８０＿ｎ）を有している使用者とは、リアルタイムで同じイメージを視聴することができる。
【０１８６】
一実施形態において、モバイル機器６００を有している使用者が内部ディスプレイ６６０に被写体を表示させると、外部装置（６８０＿１，・・・，６８０＿ｎ）を有している使用者は、外部ディスプレイ（６９０＿１，・・・，６９０＿ｎ）に表示される被写体に対して遠隔でイメージキャプチャを実行できる。このように、モバイル機器６００は画像通話、画像会議、遠隔操作などの多様な応用に利用できる。
【０１８７】
図２１〜図２４は図１９のモバイル機器で具現される多様な例を示す図である。
図２１〜図２４を参照すれば、図１９のモバイル機器６００は、携帯電話９１０、スマートフォン９２０、デジタルカメラ９３０、ビデオカメラ９４０などで具現できる。上述した通り、モバイルコンバージェンスの進展に伴って、モバイル機器６００は多様な機能を実行できる。例えば、携帯電話９１０やスマートフォン９２０は、通信機能が主な機能であるが、付随的にカメラ機能を含むことができ、デジタルカメラ９３０及びビデオカメラ９４０はカメラ機能が主な機能であるが、付随的に通信機能を含むことができる。
【０１８８】
上述した通り、図１９のモバイル機器６００はカメラ機能を実行するためのカメライメージセンサ６２０、アプリケーションプロセッサ６４０、及び少なくとも一つ以上のディスプレイ６６０を含むことができる。さらに、図１９のモバイル機器６００は、モバイル機器６００の他の機能を実行するための複数の機能回路６８０をさらに含むことができる。ただし、これに対しては上述したので、それに関する重複する説明は省略する。
【０１８９】
一方、図１９のモバイル機器６００で、アプリケーションプロセッサ６４０はプレビュモードでセンサ出力イメージを低解像度に維持し、キャプチャ準備信号に基づいてセンサ出力イメージを高解像度に変更し、キャプチャ準備モードでセンサ出力イメージを高解像度に維持することができる。その結果、モバイル機器６００はプレビュモードで不必要な電力が消費されることを防止できるだけでなく、キャプチャ準備モードでキャプチャ動作時に発生するシャッタラグを効率的に除去することができる。さらに、モバイル機器６００は相対的に消費電力が大きいキャプチャ準備モードを最小化することができる。
【０１９０】
図２５は本発明の実施形態に係るカメラモジュールを具備する電子機器を示すブロック図である。
図２５を参照すれば、電子機器１０００は、プロセッサ１０１０、メモリ装置１０２０、保存装置１０３０、入出力装置１０４０、パワーサプライ１０５０、及びカメラモジュール１０６０を含むことができる。この時、カメラモジュール１０６０は、図１１のカメラモジュール１００に相応させることができる。一方、図２５には図示しなかったが、電子機器１０００はビデオカード、サウンドカード、メモリカード、ＵＳＢ装置などと通信するか、または、他の電子機器と通信できるポート（ｐｏｒｔ）をさらに含むことができる。
【０１９１】
プロセッサ１０１０は、特定計算またはタスク（ｔａｓｋ）を実行できる。実施形態により、プロセッサ１０１０は、マイクロプロセッサ（ｍｉｃｒｏ−ｐｒｏｃｅｓｓｏｒ）、ＣＰＵ（Ｃｅｎｔｒａｌ  Ｐｒｏｃｅｓｓｉｎｇ  Ｕｎｉｔ）とすることができる。プロセッサ１０１０は、アドレスバス（ａｄｄｒｅｓｓ  ｂｕｓ）、制御バス（ｃｏｎｔｒｏｌ  ｂｕｓ）、及びデータバス（ｄａｔａ  ｂｕｓ）を介してメモリ装置１０２０、保存装置１０３０、及び入出力装置１０４０に接続されて通信を実行することができる。
【０１９２】
実施形態により、プロセッサ１０１０は、ＰＣＩ（Ｐｅｒｉｐｈｅｒａｌ  Ｃｏｍｐｏｎｅｎｔ  Ｉｎｔｅｒｃｏｎｎｅｃｔ）バスのような拡張バスにも接続することができる。メモリ装置１０２０は電子機器１０００の動作に必要なデータを保存することができる。例えば、メモリ装置１０２０は動的ランダムアクセスメモリ（ＤＲＡＭ）、静的ランダムアクセスメモリ（ＳＲＡＭ）などのような揮発性メモリ装置及びＥＰＲＯＭ、ＥＥＰＲＯＭ、及びフラッシュメモリ装置（ｆｌａｓｈ  ｍｅｍｏｒｙ  ｄｅｖｉｃｅ）などのような不揮発性メモリ装置を含むことができる。
【０１９３】
保存装置１０３０は、ソリッドステートドライブ（ｓｏｌｉｄ  ｓｔａｔｅ  ｄｒｉｖｅ）、ハードディスクドライブ（ｈａｒｄｄｉｓｋ  ｄｒｉｖｅ）及びＣＤ−ＲＯＭなどを含むことができる。入出力装置１０４０は、キーボード、キーパッド、マウスなどのような入力手段、及び、プリンタ、ディスプレイなどのような出力手段を含むことができる。パワーサプライ１０５０は電子機器１０００の動作に必要な動作電圧を供給することができる。
【０１９４】
カメラモジュール１０６０は、前記バスまたは他の通信リンクを介してプロセッサ１０１０と通信を実行できる。実施形態により、プロセッサ１０１０はアプリケーションプロセッサとすることもでき、カメラモジュールの一部または全部がアプリケーションプロセッサと接続するか、または、アプリケーションプロセッサ内に実装することができる。上述した通り、カメラモジュール１０６０は、イメージセンサ部、イメージ信号処理部、及びモード制御部を含むことができる。この時、モード制御部は、イメージセンサ部がプレビュモードで低解像度のセンサ出力イメージを出力し、キャプチャ準備モードで高解像度のセンサ出力イメージを出力するようにすることができる。
【０１９５】
また、モード制御部は、イメージ信号処理部がプレビュモードで低解像度のセンサ出力イメージを処理して外部（即ち、ディスプレイ）に出力し、キャプチャ準備モードで高解像度のセンサ出力イメージを処理して外部に出力するようにすることができる。その結果、カメラモジュール１０６０は、プレビュモードで不必要な電力が消費されることを防止できるだけでなく、キャプチャ準備モードでキャプチャ動作時に発生するシャッタラグを効率的に除去することができる。さらに、電子機器１０００は相対的に消費電力が大きいキャプチャ準備モードを最小化できる。一方、電子機器１０００はカメラモジュール１０６０を具備するすべてのシステムと解釈するべきである。
【０１９６】
図２６は図２５の電子機器で使われるインターフェースの一例を示すブロック図である。
図２６を参照すれば、電子機器１１００は、ＭＩＰＩを使用または支援できるデータ処理装置として具現でき、アプリケーションプロセッサ１１１０、イメージセンサ１１４０及びディスプレイ１１５０などを含むことができる。アプリケーションプロセッサ１１１０のＣＳＩホスト１１１２は、カメラ・シリアル・インターフェース（Ｃａｍｅｒａ  Ｓｅｒｉａｌ  Ｉｎｔｅｒｆａｃｅ；ＣＳＩ）を介してイメージセンサ１１４０のＣＳＩ装置１１４１とシリアル通信を実行することができる。
【０１９７】
一実施形態において、ＣＳＩホスト１１１２は、デシリアライザＤＥＳを含むことができ、ＣＳＩ装置１１４１は、シリアライザＳＥＲを含むことができる。アプリケーションプロセッサ１１１０のＤＳＩホスト１１１１は、ディスプレイ・シリアル・インターフェース（Ｄｉｓｐｌａｙ  Ｓｅｒｉａｌ  Ｉｎｔｅｒｆａｃｅ；ＤＳＩ）を介してディスプレイ１１５０のＤＳＩ装置１１５１とシリアル通信を実行できる。一実施形態において、ＤＳＩホスト１１１１は、シリアライザＳＥＲを含むことができ、ＤＳＩ装置１１５１はデシリアライザＤＥＳを含むことができる。
【０１９８】
さらに、電子機器１１００はアプリケーションプロセッサ１１１０と通信を実行できる ＲＦ（Ｒａｄｉｏ  Ｆｒｅqｕｅｎｃｙ）チップ１１６０をさらに含むことができる。電子機器１１００のＰＨＹ１１１３とＲＦチップ１１６０のＰＨＹ１１６１とは、ＭＩＰＩ  ＤｉｇＲＦに伴ってデータ送受信を実行できる。また、アプリケーションプロセッサ１１１０は、ＰＨＹ１１６１のＭＩＰＩ  ＤｉｇＲＦに伴うデータ送受信を制御するＤｉｇＲＦ  ＭＡＳＴＥＲ１１１４をさらに含むことができる。
【０１９９】
一方、電子機器１１００は、ＧＰＳ（Ｇｌｏｂａｌ  Ｐｏｓｉｔｉｏｎｉｎｇ  Ｓｙｓｔｅｍ）１１２０、ストレージ１１７０、マイク１１８０、ＤＲＡＭ（Ｄｙｎａｍｉｃ  Ｒａｎｄｏｍ  Ａｃｃｅｓｓ  Ｍｅｍｏｒｙ）１１８５、及びスピーカ１１９０を含むことができる。また、電子機器１１００は、超広帯域（Ｕｌｔｒａ  ＷｉｄｅＢａｎｄ；ＵＷＢ）１２１０、ＷＬＡＮ（Ｗｉｒｅｌｅｓｓ  Ｌｏｃａｌ  Ａｒｅａ  Ｎｅｔｗｏｒｋ）１２２０及び ＷＩＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）１２３０などを利用して通信を実行できる。ただし、前記インターフェースは一つの例示であって、これに限定されるものではない。
【０２００】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【産業上の利用可能性】
【０２０１】
本発明はカメラモジュール及びこれを含む電子機器（例えば、モバイル機器）に適用することができる。例えば、本発明はコンピュータ、デジタルカメラ、３次元カメラ、携帯電話、スマートフォン、スマートパッド、ＰＤＡ、ビデオフォン、監視システム、動作感知システム、イメージ安定化システムなどに適用することができる。
【符号の説明】
【０２０２】
１００  カメラモジュール
１２０  イメージセンサ部
１４０  イメージ信号処理部
１６０  モード制御部
６００  モバイル機器
６２０  カメライメージセンサ
６４０  アプリケーションプロセッサ
６６０  ディスプレイ
６８０  機能回路
【図１】
2013115816.tif 000003
【図２】
2013115816.tif 000004
【図３】
2013115816.tif 000005
【図４】
2013115816.tif 000006
【図５】
2013115816.tif 000007
【図６】
2013115816.tif 000008
【図７】
2013115816.tif 000009
【図８】
2013115816.tif 000010
【図９】
2013115816.tif 000011
【図１０】
2013115816.tif 000012
【図１１】
2013115816.tif 000013
【図１２】
2013115816.tif 000014
【図１３】
2013115816.tif 000015
【図１４】
2013115816.tif 000016
【図１５】
2013115816.tif 000017
【図１６】
2013115816.tif 000018
【図１７】
2013115816.tif 000019
【図１８】
2013115816.tif 000020
【図１９】
2013115816.tif 000021
【図２０】
2013115816.tif 000022
【図２１】
2013115816.tif 000023
【図２２】
2013115816.tif 000024
【図２３】
2013115816.tif 000025
【図２４】
2013115816.tif 000026
【図２５】
2013115816.tif 000027
【図２６】
2013115816.tif 000028